(57)【特許請求の範囲】
【請求項１】
貨幣の支払いに応じた価値であって、遊技に使用可能な遊技用価値の大きさを特定可能な情報及び各記録媒体に固有の識別情報が記録され所有者を特定可能な所有者特定記録媒体を受付けて、該受付けた所有者特定記録媒体の記録情報を少なくとも読み出す記録媒体処理手段と、
該記録媒体処理手段にて前記所有者特定記録媒体から読み出した前記情報から特定される遊技用価値の大きさを遊技に使用するための遊技使用処理を行う遊技使用処理手段と、
を備える記録媒体処理装置と、
前記所有者特定記録媒体の遊技用価値の大きさを、該所有者特定記録媒体の前記識別情報に対応づけて管理し、該管理している遊技用価値の大きさから前記遊技使用処理に使用された遊技用価値の大きさを減算更新する記録媒体管理装置と、
から成り、
前記記録媒体処理装置は、
前記所有者特定記録媒体の受付けを判断する所有者特定記録媒体受付判断手段と、
該所有者特定記録媒体受付判断手段による所有者特定記録媒体の受付け判断に基づいて、該所有者特定記録媒体の受付けを報知するための所有者特定記録媒体受付報知手段と、
前記記録媒体管理装置との通信状態が通信可能状態或いは通信不可能状態であるかの確認を行う通信状態確認手段と、
該通信状態確認手段にて確認された通信状態を報知するための通信状態報知手段と、
該記録媒体処理装置を構成する内部機器において、予め設定されているエラー内容に該当する障害が発生したか否かを判断するエラー発生判断手段と、
該エラー発生判断手段におけるエラー発生の判断に基づいてエラー発生を報知するためのエラー発生報知手段と、
前記記録媒体処理手段にて前記所有者特定記録媒体から読み出した情報から特定される遊技用価値の大きさと、該所有者特定記録媒体の識別情報と、を含む判定要求を前記記録媒体管理装置に送信する判定要求送信手段と、
を更に備え、
前記記録媒体管理装置は、前記判定要求送信手段から受信した判定要求に含まれる遊技用価値の大きさが、該判定要求に含まれる識別情報に対応付けて管理している遊技用価値の大きさ以下であることを条件に、当該識別情報の所有者特定記録媒体の遊技への使用が可能であると判定し、該所有者特定記録媒体の遊技への使用が可能である旨を前記判定要求を送信した記録媒体処理装置に返信する使用可否判定手段を備えることを特徴とする遊技用システム。
【請求項２】
前記記録媒体処理装置は、前記各報知手段による報知を、各報知内容に該当する異なる表示態様を単一の表示部に表示することで報知するための多機能表示装置を備える請求項１に記載の遊技用システム。
【請求項３】
前記記録媒体処理装置は、前記単一の表示部を記録媒体処理装置の上部位置に備える請求項２に記載の遊技用システム。
【請求項４】
前記各報知手段は、異なる色の点灯表示にて報知を行う請求項１〜３のいずれかに記載の遊技用システム。
【請求項５】
前記所有者特定記録媒体受付判断手段は、所有者特定記録媒体を使用した遊技使用処理が可能であるか否かを判断し、
前記記録媒体処理装置は、該遊技使用処理の可否判断に基づいて、遊技使用処理の可否を報知する所有者特定記録媒体使用可否報知手段を備える請求項１〜４のいずれかに記載の遊技用システム。
【請求項６】
前記記録媒体処理装置は、前記所有者特定記録媒体に記録されている所有者識別情報に基づいて、該所有者が催事対象者に該当するか否かを判断するための催事対象者判断手段と、該催事対象者判断手段により該所有者が催事対象者に該当すると判断された場合に、該催事対象者である旨を報知するための催事対象者報知手段と、を備える請求項１〜５のいずれかに記載の遊技用システム。
【請求項７】
前記催事対象者報知手段による報知態様が、前記所有者特定記録媒体受付報知手段による報知態様に関連付けられている請求項６に記載の遊技用システム。
【発明の詳細な説明】
【０００１】
【発明の属する技術の分野】
本発明は、プリペイドカードやプリペイド機能を有する会員カード等の遊技用記録媒体を遊技に使用するための遊技用システムの改良に関する。
【０００２】
【従来の技術】
近年、例えば遊技場においては、プリペイドカ−ド等の遊技用記録媒体により遊技媒体であるパチンコ玉やコイン等を貸出して遊技を実施できる遊技用装置が多数使用されている。
【０００３】
これらプリペイドカ−ド等の遊技用記録媒体を使用する場合においては、不正なプリペイドカ−ド等の遊技用記録媒体の使用を防止するために、個々のプリペイドカ−ド等の遊技用記録媒体に残存する遊技用価値である度数の管理を行う管理装置を設け、該管理装置と、前記プリペイドカ−ド等の遊技用記録媒体を受付けて遊技媒体であるパチンコ玉やコイン等の貸出処理を行うカードユニット等の記録媒体処理装置とをデータ通信可能に接続し、前記管理装置が個々のプリペイドカ−ド等の遊技用記録媒体に残存する遊技用価値である度数に不正が無いかを確認して、該プリペイドカ−ドを遊技に使用できるようにしている。
【０００４】
このため、前記管理装置との通信状態が通信不能状態（オフライン状態）となった場合には、プリペイドカ−ド等の遊技用記録媒体の使用ができなくなってしまう場合があることから、これら管理装置との通信状態や、記録媒体処理装置内部におけるエラーの発生を係員や遊技客に報知して、遊技用記録媒体の使用不可に伴なう遊技客とのトラブルを回避するとともに、エラーに対して迅速に対応できるようにされている。
【０００５】
また、多くの遊技場にあっては、顧客の固定化や情報収集並びに顧客へのサービス向上のために、予め会員登録をした会員遊技者に対し会員カード等の記録媒体を発行しているが、会員遊技者は、これら会員カードとプリペイドカードとの双方のカードを携行する必要があって面倒であることから、会員カードにプリペイドカードの機能を持たせて、会員カードをプリペイドカードと同様に遊技に使用できる記録媒体処理装置が実用化されてきている。
【０００６】
【発明が解決しようとする課題】
これらのプリペイド機能を有する会員カードとプリペイドカードの双方のカードを使用可能なカードユニット等の記録媒体処理装置においては、会員カードを受け付けているか、或いは特定の遊技者ではない不特定の遊技者が使用するプリペイドカード（ビジターカード）を受付ているかを係員等が確認できるようにすることが好ましいが、これら受付中のカードの種別を報知して係員等が確認できるものが無かった。
【０００７】
よって、本発明は上記した問題点に着目してなされたもので、従来の通信不能状態やエラー報知に加えて、受付中のカードの種別を係員等が容易に確認することのできる遊技用システムを提供することを目的としている。
【０００８】
【課題を解決するための手段】
前記した問題を解決するために、本発明の遊技用システムは、
貨幣の支払いに応じた価値であって、遊技に使用可能な遊技用価値の大きさを特定可能な情報及び各記録媒体に固有の識別情報が記録され所有者を特定可能な所有者特定記録媒体を受付けて、該受付けた所有者特定記録媒体の記録情報を少なくとも読み出す記録媒体処理手段と、
該記録媒体処理手段にて前記所有者特定記録媒体から読み出した前記情報から特定される遊技用価値の大きさを遊技に使用するための遊技使用処理を行う遊技使用処理手段と、
を備える記録媒体処理装置と、
前記所有者特定記録媒体の遊技用価値の大きさを、該所有者特定記録媒体の前記識別情報に対応づけて管理し、該管理している遊技用価値の大きさから前記遊技使用処理に使用された遊技用価値の大きさを減算更新する記録媒体管理装置と、
から成り、
前記記録媒体処理装置は、
前記所有者特定記録媒体の受付けを判断する所有者特定記録媒体受付判断手段と、
該所有者特定記録媒体受付判断手段による所有者特定記録媒体の受付け判断に基づいて、該所有者特定記録媒体の受付けを報知するための所有者特定記録媒体受付報知手段と、
前記記録媒体管理装置との通信状態が通信可能状態或いは通信不可能状態であるかの確認を行う通信状態確認手段と、
該通信状態確認手段にて確認された通信状態を報知するための通信状態報知手段と、
該記録媒体処理装置を構成する内部機器において、予め設定されているエラー内容に該当する障害が発生したか否かを判断するエラー発生判断手段と、
該エラー発生判断手段におけるエラー発生の判断に基づいてエラー発生を報知するためのエラー発生報知手段と、
前記記録媒体処理手段にて前記所有者特定記録媒体から読み出した情報から特定される遊技用価値の大きさと、該所有者特定記録媒体の識別情報と、を含む判定要求を前記記録媒体管理装置に送信する判定要求送信手段と、
を更に備え、
前記記録媒体管理装置は、前記判定要求送信手段から受信した判定要求に含まれる遊技用価値の大きさが、該判定要求に含まれる識別情報に対応付けて管理している遊技用価値の大きさ以下であることを条件に、当該識別情報の所有者特定記録媒体の遊技への使用が可能であると判定し、該所有者特定記録媒体の遊技への使用が可能である旨を前記判定要求を送信した記録媒体処理装置に返信する使用可否判定手段を備えることを特徴としている。
この特徴によれば、前記記録媒体処理手段にて受付中の記録媒体が、所有者特定記録媒体であるかが報知されるようになるため、従来の通信不能状態やエラー報知に加えて、所有者特定記録媒体が受付中である旨を係員等が容易に確認することができる。
【０００９】
本発明の遊技用システムの前記記録媒体処理装置は、前記各報知手段による報知を、各報知内容に該当する異なる表示態様を単一の表示部に表示することで報知するための多機能表示装置を備えることが好ましい。
このようにすれば、表示部を単一とすることで、該単一とされた表示部を注視することで、報知内容を確認できる。
【００１０】
本発明の遊技用システムの前記記録媒体処理装置は、前記単一の表示部を記録媒体処理装置の上部位置に備えることが好ましい。
このようにすれば、前記単一の表示部を見やすくできる。
【００１１】
本発明の遊技用システムの前記各報知手段は、異なる色の点灯表示にて報知を行うことが好ましい。
このようにすれば、色の違いで報知内容を識別できるので、報知内容を把握し易くなる。
【００１２】
本発明の遊技用システムの前記所有者特定記録媒体受付判断手段は、所有者特定記録媒体を使用した遊技使用処理が可能であるか否かを判断し、
前記記録媒体処理装置は、該遊技使用処理の可否判断に基づいて、遊技使用処理の可否を報知する所有者特定記録媒体使用可否報知手段を備えることが好ましい。
このようにすれば、所有者特定記録媒体の所有者は、所有する所有者特定記録媒体が利用できるか否かを確認でき、所有者特定記録媒体を無理矢理に挿入すること等による装置や所有者特定記録媒体の破損等のトラブルを極力防止することができる。
【００１４】
本発明の遊技用システムの前記記録媒体処理装置は、前記所有者特定記録媒体に記録されている所有者識別情報に基づいて、該所有者が催事対象者に該当するか否かを判断するための催事対象者判断手段と、該催事対象者判断手段により該所有者が催事対象者に該当すると判断された場合に、該催事対象者である旨を報知するための催事対象者報知手段と、を備えることが好ましい。
このようにすれば、所有者特定記録媒体の所有者である遊技者が、催事対象者であることを遊技者自身および／または係員が容易に確認することができる。
【００１５】
本発明の遊技用システムは、前記催事対象者報知手段による報知態様が、前記所有者特定記録媒体受付報知手段による報知態様に関連付けられていることが好ましい。
このようにすれば、催事対象者は前記所有者特定記録媒体の所持者のみが対象となるため、これら催事対象者である旨の内容を、遊技者自身および／または係員が感覚的に知覚できるようになる。
【００１７】
【発明の実施の形態】
以下、図面に基づいて本発明の実施形態を説明する。尚、以下の実施例においては、遊技機として遊技媒体であるパチンコ玉が払い出される通常のパチンコ機を用いた例を示すが、本発明はこれに限定されるものではなく、その他の遊技機、例えばパチンコ玉が指触不能に封入された封入式パチンコ機や、遊技媒体としてコインやパチンコ玉を使用するスロットマシン、更には完全クレジット式のスロットマシン等の遊技機においても適用可能である。
【００１８】
（実施例）
図１は記録媒体管理装置であるシステムコントローラ１００と、催事対象者判断手段としての会員管理コンピュータ（ＣＰ）１２０とを有する本実施例にて用いた遊技用システムの構成を示す図であり、この遊技用システムは、遊技場において複数配置された遊技島に並設される遊技機であるカードリーダ式パチンコ機（以下パチンコ機）２と、該パチンコ機２に対して１対１に対応設置される記録媒体処理装置としてのカードユニット３と、遊技場内の所定箇所に設置され、前記カードユニット３にて使用される所有者特定記録媒体である後述の会員カード３７に対し、投入された現金に該当する遊技用価値である度数を付与する入金処理を行う入金装置２１と、該会員カードに残存する遊技用価値である度数を現金に精算する精算処理を行う精算装置２２と、前記カードユニット３が不良となった際に、該不良のカードユニット３と交換するための予備のカードユニット３を収納されたカードユニットストッカ２０と、前記カードユニット３にて使用される会員カード３７並びに所有者不特定記録媒体としてのビジターカード３８の管理等を行う記録媒体管理装置としてのシステムコントローラ１００と、前記会員カード３７を所持する会員遊技者に関する情報を管理する会員管理コンピュータ１２０と、から主に構成されており、前記システムコントローラ１００、会員管理コンピュータ１２０、カードユニット３、カードユニットストッカ２０、入金装置２１並びに精算装置２２とはハブ（ＨＵＢ）７並びに中継器６並びに通信ケーブル８を介して双方向のデータ通信可能に接続されていて、各接続機器にはそれぞれローカルＩＰアドレスが付与されてローカルエリアネットワーク（ＬＡＮ）が形成されている。また、前記システムコントローラ１００と会員管理コンピュータ１２０とは個別の通信ケーブル１０を介して比較的高速のデータ通信を実施可能に接続されている。
【００１９】
また、前記システムコントローラ１００は、通信回線１１を介してカード管理会社に設置された管理サーバ１２と双方向のデータ通信を実施できるように接続されていて、カード管理会社は、該管理サーバ１２にて各遊技場の会員カード並びにビジターカードによる売上や、システムコントローラ１００並びにカードユニット３のエラー状況等を把握できるようになっている。
【００２０】
初めに、本実施例にて用いた前記所有者特定記録媒体である会員カード３７、並びに所有者不特定記録媒体であるビジターカード３８に使用した記録媒体について説明すると、本実施例では図２（ａ）（ｂ）に示すように、予め会員登録をした会員遊技者に対して発行される会員カード３７と、前記カードユニット３に装備、内封されて、不特定多数の遊技者に発行、使用されるビジターカード３８と、の２種類のＩＣカードを用いている。
【００２１】
まず、本実施例に用いた会員カード３７について説明すると、該会員カード３７には、図２（ａ）に示すように、略長方形のカード型に形成されているとともに、その中央位置に、非接触にて記録データの入出力（送受信）を行うための円形状とされたアンテナコイル８３と、記録データを電気的に書き換え可能に記憶する集積回路（ＩＣ）８４とが設けられており、これら会員カード３７は、前記カードユニット３内に設けられている後述するカードリーダライタ３２７に挿入されることで、該カードリーダライタ３２７から出力される電磁波が前記アンテナコイル８３に誘導起電力を生じさせて前記集積回路８４が動作可能に付勢されるとともに、前記アンテナコイル８３を介して前記カードリーダライタ３２７との各種のデータ送受を電磁波により非接触にて実施可能とされている。
【００２２】
また、これら会員カード３７における集積回路８４の内部メモリには、各会員カード３７を個別に識別可能な会員カードＩＤや、各会員を識別可能な所有者識別情報としての会員ＩＤ、当該会員カード３７が発行された発行店等の情報が書き換え不可に記録されているとともに、前記カードリーダライタ３２７とのデータ通信により、後述する追加入金処理の際に付与される入金ＩＤや遊技用価値としての度数、最後に追加入金処理がなされたカードユニット３（入金装置）の装置ＩＤ、当該会員カード３７を所持する会員の氏名（名字及び名前）や性別、年齢、誕生日、職業等、当該会員カード３７を所持する会員遊技者に関する会員帰属情報等の情報が書き換え可能に記録されている。
【００２３】
この本実施例の会員カード３７の一面には、図２（ａ）に示すように、バーコード８５が印刷されており、該バーコード８５に前記会員ＩＤが記録されていて、該バーコード８５を読み取ることで、前記集積回路８４との通信を行うことなく、会員ＩＤを自動的に読み取ることができるようになっている。
【００２４】
次いで、本実施例にて用いた所有者不特定記録媒体であるビジターカード３８について説明すると、該ビジターカード３８には、図２（ｂ）に示すように、各辺の長さが前記会員カード３７の各辺の長さより若干短い略長方形のカード状とされており、その略中央部には、前記会員カード３７におけるアンテナコイル８３並びに集積回路８４と同一構成とされたアンテナコイル９１並びに集積回路９２が設けられた非接触ＩＣカードを使用しており、前記会員カード３７同様にカードリーダライタ３２７との各種のデータ送受を電磁波により非接触にて実施可能とされているが、前記会員カード３７に設けられている会員ＩＤが記録されたバーコード８５は設けられていない。
【００２５】
また、これらビジターカード３８における集積回路９２の内部メモリには、各ビジターカード３８を個別に識別可能なシリアル番号やカードＩＤ並びに当該ビジターカード３８が使用される使用店等が書き換え不可に記録されているとともに、前記カードリーダライタ３２７とのデータ通信により、会員カード３７の未挿入時にカードユニット３に投入される金額に該当する大きさの遊技用価値である度数や、装備されているカードユニット３の装置ＩＤ、並びに書き換え回数情報等の情報等が書き換え可能に記録されている。
【００２６】
次いで、本実施例に用いた遊技機であるパチンコ機２について簡単に説明すると、該パチンコ機２は、図３に示すように、額縁状に形成されたガラス扉枠２０２を有し、該ガラス扉枠２０２の下部表面には打球供給皿２０３がある。打球供給皿２０３の上面所定箇所には、操作部１４が設けられているとともに、打球供給皿２０３の下部には、打球供給皿２０３から溢れた景品玉を貯留する余剰玉受皿２０４と打球を発射する打球操作ハンドル（以下操作ノブ）２０５とが設けられている。
【００２７】
このパチンコ機２が設置される遊技島内には、該遊技島の下部位置に各パチンコ機２より排出されたパチンコ球を収集可能となるように遊技島を横断するように配置された下部タンク（図示略）と、遊技島上部位置に該遊技島に並設された各パチンコ機２へパチンコ球を供給可能となるように遊技島を横断するように配置された供給樋（図示略）と、前記下部タンクに収集、貯留されているパチンコ球を下部タンクより供給樋へと揚送する揚送装置（図示略）と、が設けられているとともに、図３に示すように、遊技島の前記パチンコ機２の上方位置には、パチンコ機２の裏面上部位置に設けられている上部タンク（図示略）に前記供給樋により供給されたパチンコ球を補給するための分流樋２３が設けられ、且つ前記遊技島内の該パチンコ機２の下方位置には、該パチンコ機２にて遊技に使用されたパチンコ球が排出され、該排出されたパチンコ球が前記下部タンクへと排出されるアウト球タンク２５が設けられていて、前記分流樋２３よりパチンコ球が供給されてパチンコ機２において賞球や貸出球に使用されるとともに、遊技に使用されたパチンコ球が前記アウト球タンク２５を通じて下部タンクに排出されて収集され、再度遊技島上部の前記供給樋に揚送されて循環使用されるようになっている。
【００２８】
前記分流樋２３にはパチンコ機２に補給されるパチンコ球（補給球数）を計数するための補給球計数器２４が設けられているとともに、前記アウト球タンク２５から下部タンクへの排出流路にはパチンコ機より排出されたアウト球を計数するためのアウト球計数器２６が設けられていて、これら補給球計数器２４並びにアウト球計数器２６は、前記カードユニット３内に内蔵されている後述する制御ユニット３２８に接続されており、補給球計数器２４並びにアウト球計数器２６より出力された計数信号が前記制御ユニット３２８に入力することで、制御ユニット３２８にて対応するパチンコ機２への補給球数並びに遊技に使用されたアウト球数を計数することができるようになっている。
【００２９】
前記操作部１４の上面には、図４に示すように、前記カードユニット３において前記会員カード３７或いはビジターカード３８より読み出された度数が表示される度数表示部１７と、遊技の開始または前記打球供給皿２０３に持玉が少なくなったか或いは無くなった際に押圧操作されることで、前記度数表示部１７に度数が存在する場合に所定数量のパチンコ玉の貸出がパチンコ機２より実施される貸出ボタン１６と、遊技の終了時にて前記カードユニット３に受付中の会員カード３７を返却させるための返却ボタン１５と、が設けられており、これら各部は操作部１４内部に設けられている操作基板１８上に実装されている。
【００３０】
前記ガラス扉枠２０２の後方には、図３に示すように、遊技盤２０６が着脱可能に取付けられている。また、遊技盤２０６の前面には遊技領域２０７が設けられている。この遊技領域２０７の中央付近には、「特別図柄」と呼ばれる複数種類の識別情報が可変表示される可変表示部２０９と、「普通図柄」と呼ばれる複数種類の識別情報が可変表示される可変表示装置２１０とが設けられている。また遊技盤２０６には、複数の入賞口２２４や通過ゲート２１１、始動入賞口２１４、可変入賞球装置２１６が設けられているとともに、遊技領域２０７の下部には、入賞しなかった打込玉を回収するアウト口２２６が形成されている。
【００３１】
前記打球操作ノブ２０５の操作によって揺動されるハンマー（図示略）によって発射された打玉は、打球レールを通って遊技領域２０７に入り、その後、遊技領域２０７を流下していく。この際、発射勢いが弱すぎて前記遊技領域２０７に達しなかったパチンコ玉は、環流経路（図示略）を通じて前記余剰玉受皿２０４に環流されるようになっている。
【００３２】
また、前記遊技領域２０７に打ち込まれた打込玉が通過ゲート２１１を通過すると、可変表示装置２１０に停止表示されている普通図柄が可変開始する。
【００３３】
可変表示装置２１０の可変表示動作後の表示結果が予め定められた特定の表示結果（たとえば７）となった場合に、始動入賞口２１４に設けられた可動片２１５が所定時間開成して遊技者にとって有利な状態となる。
【００３４】
また、始動入賞口２１４にパチンコ玉が入賞すると、可変表示部２０９において全特別図柄が可変表示（変動表示）を開始する。そして、その後、左、中、右の特別図柄が停止し、その停止表示結果が予め定められた特定の表示態様（たとえば７７７）となった場合に、特定遊技状態（大当り状態）が発生する。このように大当り状態が発生した場合には、可変入賞球装置２１６に設けられた開閉板２２０が開成して遊技者にとって有利な第１の状態となる。この第１の状態は、所定期間（たとえば３０秒間）の経過、或いは所定個数（たとえば１０個）の打玉の入賞のうちいずれか早い方の条件が成立することにより終了し、その後、遊技者にとって不利な第２の状態となる。第１の状態となっている可変入賞球装置２１６の大入賞口内に進入した打玉が特定入賞領域（Ｖポケット）に入賞して図示しないＶカウントスイッチにより検出されれば、その回の第１の状態の終了を待って前記第２の状態から前記第１の状態に制御する繰返し継続制御が行なわれる。この繰返し継続制御の上限回数は例えば１５回と定められている。
【００３５】
また、前記可変表示部２０９で可変表示された左、中、右の特別図柄が同じ図柄の種類に一致した大当り図柄の組合せで停止表示されたときには前述したように大当りが発生するが、これら大当り図柄に停止表示される以前の状態において、リーチ状態が発生する場合がある。ここで、「リーチ状態」とは、可変表示部２０９が可変開始された後、表示制御が進行して表示結果が導出表示される前段階にまで達した時点でも、特定の表示態様となる表示条件から外れていない表示態様をいう。例えば、前記特定の表示態様の組合せが揃った状態を維持しながら複数の前記可変表示部２０９による可変表示を行う状態もリーチ表示状態に含まれる。更にリーチの中には、それが出現すると、通常のリーチ（ノーマルリーチ）に比べて、大当りが発生しやすいものがある。このようなリーチをスーパーリーチという。更にリーチの中には、相当な低確率ではあるが、それが出現すると、ほぼ確実に大当りが発生するものがある。このようなリーチをプレミアムリーチといい、これらプレミアムリーチの発生に伴って該発生が後述するように外部に出力される。
【００３６】
これらパチンコ機２の構成を図７に基づいて説明すると、該パチンコ機２には、前記可変表示部２０９の表示制御を行う表示制御基板２８０と、図示しない玉タンクに供給されたパチンコ玉の払出を実施する玉払出装置２９７に接続され、後述の遊技制御基板２３１から出力される賞球信号並びにカードユニット３より入出力される各種信号に基づきパチンコ玉の払出制御を行う賞球制御基板２３７と、遊技効果ランプ等の制御を実施するランプ制御基板２３５と、スピーカから出力される音声の制御を行う音声制御基板２７０と、前記打球操作ハンドル２０５の操作に基づき打球供給皿２０３に払い出されたパチンコ玉を遊技領域２０７に発射する打球発射装置の制御を行う発射制御基板２９１と、これら各部の制御を実施する遊技制御基板２３１と、が設けられており、これらは図７に示すように接続され、前述の打球供給皿２０３に払い出されたパチンコ玉を使用して遊技を実施できるようになっている。
【００３７】
また、前記賞球制御基板２３７は、前記カードユニット３の制御ユニット３２８（図７参照）に信号ケーブル９を介して接続されており、後述の台端末貸出完了信号（ＥＸＳ）や台ＲＥＡＤＹ信号（ＰＲＤＹ）が前記カードユニット３の制御ユニット３２８に出力されるようになっているとともに、前記カードユニット３の制御ユニット３２８より出力される後述のカードユニットＲＥＡＤＹ信号（ＢＲＤＹ）や台端末貸出要求完了確認信号（ＢＲＱ）が入力されるようになっている。
【００３８】
また、前記遊技制御基板２３１は、パチンコ機２における遊技情報を外部出力するための情報出力部２９８に接続されており、該遊技制御基板２３１より出力された大当り信号や始動信号、前述したプレミアムリーチが発生した場合に出力されるプレミアムリーチ発生信号等の入力に基づく大当り情報や始動情報、プレミアム発生情報等の各種遊技情報を、前記情報出力部２９８を介して前記カードユニット３に出力するようになっている。
【００３９】
また、前記操作基板１８は、前述の賞球制御基板２３７並びに信号ケーブル９を介してカードユニット３に接続されており、前記貸出ボタン１６が操作されて遊技者による玉貸し操作がなされた場合に出力される貸出入力信号や、返却ボタン１５が操作された場合に出力される返却入力信号が、前記カードユニット３の制御ユニット３２８に出力されるようになっているとともに、該制御ユニット３２８より出力される前記度数表示部１７の度数表示信号が入力されることで該度数表示部１７に該度数表示信号に基づく度数が表示されるようになっている。
【００４０】
次に、本実施例の記録媒体処理装置であるカードユニット３について説明すると、該カードユニット３の前面には、図３に示すように、その最上部位置にカードユニット３のエラー発生状況やシステムコントローラ１００との通信状態、並びにその時点において受付中のカードが会員カード３７であるかとともに、該会員遊技者がイベント対象者であるか、或いは受付中のカードがビジターカード３８であるかを点灯色や点灯態様の違いにより報知するための、所有者特定記録媒体受付報知手段、所有者不特定記録媒体受付報知手段、催事対象者報知手段、通信状態報知手段、並びにエラー発生報知手段としての多機能ランプ３０１が設けられており、遊技場の係員等がカードユニット３内部におけるエラー発生やシステムコントローラ１００との通信不能状態の発生とともに、受付中のカード種別やイベント対象者か否かを知覚できるようになっている。
【００４１】
具体的には、本実施例では前記多機能ランプ３０１内部に３原色であるＲＧＢ光の各色の発光が可能なＬＥＤモジュールを内在しており、これらＲＧＢ光の発光を制御することで、前記多機能ランプ３０１の発光色を可変できるようになっている。
【００４２】
これら多機能ランプ３０１の発光色と報知内容との関係は、図２９に示すように、消灯は非稼働状態であることを示し、緑色の連続点灯は、前記システムコントローラ１００との通信状態がオンライン状態であって、会員カード３７が未挿入で該会員カード３７の挿入待ち状態かもしくはビジターカード３８が使用中であることを示し、青色の連続点灯は会員カード３７が挿入中であることを示し、青色の点滅点灯は挿入中の会員カード３７所持者である遊技者がイベント対象者であることを示し、赤色の連続点灯は前記システムコントローラ１００との通信状態がオフライン状態であることを示し、赤色の点滅点灯は装置内部において予め定められた所定のエラー状態が発生していることを示すように、点灯制御される。
【００４３】
本実施例ではこのように、単一の表示部である多機能ランプ３０１の表示態様にて、図２９に示すように、所有者特定記録媒体受付報知手段、所有者不特定記録媒体受付報知手段、通信状態報知手段、並びにエラー発生報知手段の各報知内容の報知を実施するようにしており、このようにすることは、このように単一とされた多機能ランプ３０１を注視することで、報知内容を容易に確認できるようになることから好ましいが、本発明はこれに限定されるものではなく、これらの報知を、各報知内容毎に個別の報知ランプや報知ブザー等を設けて報知を実施するようにしても良い。
【００４４】
また、本実施例では、前記単一の表示部である多機能ランプ３０１をカードユニット３の上部位置に設けており、このようにすることは、係員等が並設される各カードユニット３の多機能ランプ３０１を遠方からでも見やすくできることから好ましいが、本発明はこれに限定されるものではなく、これら多機能ランプ３０１を上部以外の位置に設けるようにしても良い。
【００４５】
また、本実施例では、前記単一の表示部である多機能ランプ３０１の各報知内容に該当する報知態様として、異なる表示色を用いるようにしており、このようにすることは、例えば液晶パネル等の単一の表示部に各報知内容に該当するメッセージ等を表示して報知する手法に比較して、メッセージ等を判読できるまでにカードユニット３に近接しなくても、表示色にて報知内容を的確に把握できるようになることから好ましいが、本発明はこれに限定されるものではなく、前記したように、例えば液晶パネル等の単一の表示部に各報知内容に該当するメッセージ等を表示するようにしても良い。
【００４６】
また、本実施例では、前記イベント対象者の報知態様を、会員カード３７の受付け報知態様である青色の連続表示と関連付けた青色の点滅表示としており、このようにすることは、イベント対象者は会員カード３７の所持者のみが対象となるため、これらイベント対象者である旨の内容を、遊技者自身および／または係員が感覚的に知覚できるようになることから好ましいが、本発明はこれに限定されるものではなく、これらイベント対象者の報知形態を、例えば独自の表示色等にて実施するようにしても良い。
【００４７】
この多機能ランプ３０１の下方位置には、紙幣を挿入可能とされた紙幣挿入口３０２と、硬貨が投入可能とされた硬貨投入口３０３と、投入した硬貨の返却を実施する硬貨返却ボタン３０４とが設けられていて、遊技者は貨幣として硬貨並びに紙幣を投入できるようになっている。
【００４８】
これら各投入口３０２，３０３並びに返却ボタン３０４の下方位置には、硬貨並びに紙幣の使用が可能である際に点灯されて、硬貨並びに紙幣の使用が可能であることを報知するための硬貨利用可ランプ３４８と紙幣利用可ランプ３４９と、貸出処理における単位を変更するための貸出単位変更ボタン３０６と、前記貸出単位等が表示される貸出単位表示部３０７と、後述の度数表示部３０９の表示内容を度数の端数表示等に変更表示させるための端数ボタン３０８と、前記会員カード３７やビジターカード３８から読み出された度数等が表示される度数表示部３０９と、対応する遊技機２の機種を点灯により示す機種設定ランプ３１０と、対応する遊技機２の連結方向を示す方向指示ランプ３１１と、前記システムコントローラ１００との通信状態に基づき、会員カード３７の受付けの可／不可を報知するための所有者特定記録媒体使用可否報知手段としての会員カード利用可ランプ３０５と、前記ビジターカード３８の発行のための貨幣投入に伴い点灯されるとともに、該ビジターカード３８の発行中において点滅点灯されるカード発券中ランプ３１２を有する操作パネルが設けられており、遊技者が各種操作を実施可能とされているとともに、前記会員カード利用可ランプ３０５やカード発券中ランプ３１２、前記硬貨利用可ランプ３４８並びに紙幣利用可ランプ３４９の点灯状態により、会員カード３７の挿入が可能か否かや、ビジターカード３８の発行状況や、硬貨或いは紙幣の利用が可能か否か遊技者に報知されるようになっている。
【００４９】
このように、前記会員カード利用可ランプ３０５を設けて、会員カード３８の使用可／不可を報知することは、遊技者は、新たな前記会員カード３７の使用の可／不可を事前に把握でき、遊技者が誤って会員カード３７を挿入することによる装置や会員カード３７の破損等のトラブルを極力防止することができることから好ましいが、本発明はこれに限定されるものではなく、これら会員カード利用可ランプ３０５を適宜に省いた構成としても良い。
【００５０】
この操作パネルの下部位置には、前記硬貨返却ボタン３０４が操作された場合等に硬貨が返却される硬貨返却口３１３並びに該硬貨返却口３１３を下方から覆うように突設形成され、該硬貨返却口３１３より排出された硬貨の落下を防止する受部３１３’が設けられている。
【００５１】
この硬貨返却口３１３の更に下方位置には、受付中の会員カード３７から特定される貯蓄玉数に基づく再プレイ可能回数等が表示される会員カード用表示部３１４と、暗証番号等の入力を行うテンキー３１５と、該テンキー３１５にて入力した暗証番号を決定する場合や前記貯蓄玉数のうちの所定の玉数払戻を実施するためのエンターキー３１７と、会員カード３７を受付け時において該会員カードに記録された度数を用いて遊技を実施するか、若しくは該会員カード３７の会員ＩＤにより特定される貯蓄玉数を用いて遊技を実施するかを選択するプレイ選択ボタン３１６とが設けられた会員操作パネルが設けられており、会員遊技者が会員カード３７を挿入することで操作を実施できるようになっている。
【００５２】
また、図５に示すように、前記会員カード挿入口３１９とビジターカード装着口３１８とは、遊技者から見て左右に並んで配置されているとともに、前記ビジターカード装着口３１８は、前記会員カード挿入口３１９が設けられたカードユニット３の前面よりも装置の内方に入り込むように形成された段部３４０に設けられている。
【００５３】
前記会員カード挿入口３１９は、カードリーダライタ３２７の会員カードスロット（図示略）に連設されており、該会員カード挿入口３１９を介して会員カード３７を会員カードスロットに挿入可能とされている。また、前記段部３４０に設けられたビジターカード装着口３１８も、カードリーダライタ３２７のビジターカード収容室（図示略）に連設されており、このビジターカード装着口３１８を介してビジターカードを前記ビジターカード収容室に装着可能とされている。
【００５４】
また、前記ビジターカード収容室にビジターカード３８が装着された際には、該装着されたビジターカード３８の先端がビジターカード装着口３１８から突出する態様にて装着される。また、このビジターカード装着口３１８が設けられた段部３４０には、この段部３４０全体を被覆する透明カバー部材３１８’が着脱可能に取付けられており、これにより前記カードリーダライタ３２７に装着されたビジターカード３８が、前記透明カバー部材３１８’を通して視認できるとともに、該透明カバー部材３１８’により挿入されたビジターカード３８の抜き取りができない状態とされ、該ビジターカード３８がカードユニット３内に内封された状態とされている。
【００５５】
このように、段部３４０の全面を透明カバー部材３１８’にて覆うようにすることは、これらビジターカード３８が装着されている装置内部に、異物等の侵入による不具合を回避できるようになることから好ましいが、本発明はこれに限定されるものではない。
【００５６】
また、この透明カバー部材３１８’は、図５に示すように、該透明カバー部材３１８’の前面側端に設けられた係止突起３４１を、段部３４０の側面に設けられた係止孔３４２に係止させ、透明カバー部材３１８’の側面後端に設けられた係止爪３４３を、段部３４０の底面に設けられた係止孔３４４に係合させることで取付けられるようになっており、前記係止爪３４３と係止孔３４４との係合を、カードユニット３の施錠を解除して全面に引き出す等により前記係合部を露出させて解除することで、透明カバー部材３１８’の取外しが可能とされている。これにより、前記施錠を解除できる遊技場の係員等は、ビジターカード３８の交換作業が容易に行えるようになるとともに、通常時カードユニット３はパチンコ機２と並設されて前記係合部が露出されない状態にて使用されるため、通常使用時において透明カバー部材３１８’は取り外せない状態、すなわち装着されたビジターカード３８の抜き取りができない状態で使用できるようになる。
【００５７】
また、前記ビジターカード装着口３１８が設けられた段部３４０の上下面において前記透明カバー部材３１８’の上下端面が当接する位置には、緑色に発光するＬＥＤモジュール３４６が設けられている。これらＬＥＤモジュール３４６は、カードリーダライタ３２７に装着されているビジターカード３８に対する発行貸出処理が実施されている場合に、前記カード発券中ランプ３１２とともに発光するように制御されており、前記透明カバー部材３１８’がその端面より入光したＬＥＤモジュール３４６の緑色光にて点灯されることでビジターカード３８の発行並びに貸出処理が処理中である旨が遊技者に報知される。
【００５８】
このように、前記カード発券中ランプ３１２とともにＬＥＤモジュール３４６を発光させてビジターカード３８の発行並びに貸出処理が処理中である旨を報知することは、遊技者は、貨幣投入に応じて前記内封記録媒体遊技使用処理である発行貸出処理が正常に実施されていることを容易に認識できるようになることから好ましいが、本発明はこれに限定されるものではなく、これらＬＥＤモジュール３４６等による前記ビジターカード３８の発行貸出処理が処理中である旨の報知を実施しない構成としても良い。
【００５９】
また、図５に示すように、前記会員カード挿入口３１９の周囲には、高周波電圧の印加により赤色に発光するＥＬ（エレクトリックルミネッセンス）部材にて構成される会員カード受付中表示部３４５が設けられている。これら会員カード受付中表示部３４５は、会員カードが受付中の場合に赤色に点灯されることで、会員カード３７が受付中である旨が遊技者や遊技場係員に報知される。
【００６０】
この本実施例に用いたカードユニット３の構成を図６並びに図７に基づいて説明すると、該カードユニット３には、前面最上部位置に設けられている前記多機能ランプ３０１が接続されるとともに、前記会員カード利用可ランプ３０５や貸出単位変更ボタン３０６、貸出単位表示部３０７、端数ボタン３０８、度数表示部３０９、機種設定ランプ３１０、方向指示ランプ３１１、カード発券中ランプ３１２、硬貨利用可ランプ３４８、紙幣利用可ランプ３４９、前記貸出単位表示部３０７や度数表示部３０９の表示ドライバ（図示略）等が実装され、これら各部と後述する制御ユニット３２８との制御信号の入出力等が行われる第１操作基板３２０と、会員カード受付中表示部３４５並びにＬＥＤモジュール３４６が接続されるとともに、前記会員カード用表示部３１４やテンキー３１５、プレイ選択ボタン３１６、エンターキー３１７、前記会員カード用表示部３１４の表示ドライバ（図示略）等が実装され、これら各部と前記制御ユニット３２８との制御信号の入出力等が行われる第２操作基板３２１とが、設けられており、これら第１操作基板３２０並びに第２操作基板３２１は、カードユニット３の前面パネルに沿って配置されている。
【００６１】
また、装置内の上部位置には、前記紙幣挿入口３０２に連設され、該紙幣挿入口３０２に投入された紙幣を取り込んでその真贋や紙幣種別の識別を実施し、その識別結果を装置中央部に設けられている後述の制御ユニット３２８に出力する貨幣識別手段としての紙幣識別ユニット３２２が設けられているとともに、その下方位置には、前記硬貨投入口３０３に硬貨投入路３２３を介して連設され、該硬貨投入口３０３より投入された硬貨（本実施例では１００円硬貨と５００円硬貨）の真贋並びに硬貨種別の識別を実施し、その識別結果を後述の制御ユニット３２８に出力する貨幣識別手段としての硬貨識別ユニット３２４とが設けられており、これら両識別ユニット３２２、３２４を内在することにより、各種紙幣（１万円、５千円、２千円、千円の各紙幣）並びに各種硬貨（１００円硬貨、５００円硬貨）の受付が可能とされている。
【００６２】
また、カードユニット３の下方位置には、前記会員カード挿入口３１９並びにビジターカード装着口３１８の双方に連設するように配置され、これら会員カード挿入口３１９に挿入されて受付けた会員カード３７の前記集積回路（ＩＣ）８４に記録されている記録情報や、ビジターカード装着口３１８に装着されているビジターカード３８の前記集積回路９２に記憶されている記録情報の読み出し並びに書き込み等を行う遊技使用処理手段並びに内封記録媒体遊技使用処理手段としてのカードリーダライタ３２７が設けられている。
【００６３】
このカードリーダライタ３２７の内部には、前記ビジターカードスロットに挿入された会員カード３７並びに前記ビジターカード収容室に装着されているビジターカード３８とのデータ送受を行う通信基板３２７ａと、該カードリーダライタ３２７の制御を行うコントローラ等が実装された制御基板３２７ｂと、が設けられており、図７に示すように、前記制御基板３２７ｂは、ハブ７並びに通信ケーブル８を介して前記システムコントローラ１００に接続され、システムコントローラ１００とのデータ通信を実施可能とされていて、該制御基板３２７ｂにより前記システムコントローラ１００との通信状態を確認する通信状態確認手段が形成されている。
【００６４】
また、前記制御基板３２７ｂは、カードリーダライタ３２７が搭載されたカードユニット３の制御ユニット３２８にも接続されており、該制御ユニット３２８との各種データの送受が実施可能とされている。
【００６５】
また、カードユニット３の略中央部位置には、前記紙幣識別ユニット３２２や硬貨識別ユニット３２４に接続され、これら紙幣識別ユニット３２２並びに硬貨識別ユニット３２４との各種信号の入出力を行うＩ／Ｏポート３３２ａや、前記カードリーダライタ３２７に接続されて該カードリーダライタ３２７との各種データの送受を行うためのＩ／Ｏポート３３２ｄ、前記第１操作基板３２０並びに前記第２操作基板３２１に接続されて各種信号の入出力を行うＩ／Ｏポート３３２ｂ、前記パチンコ機２の賞球制御基板２３７や操作基板１８との各種信号の入出力を行うＩ／Ｏポート３３２ｃ、前記ハブ７並びに通信ケーブル８を介して会員管理コンピュータ１２０とのデータ通信を行うための通信部３３４、対応するパチンコ機２の上方位置に設置された外部機器としての呼出ランプ４（図３参照）に接続され、該呼出ランプ４に対して該呼出ランプ４を点灯させるための点灯指示信号を出力するとともに、前記補給球計数器２４並びにアウト球計数器２６より出力された計数信号、並びに前記パチンコ機２の情報出力部２９８から出力される大当り情報やプレミアム発生情報等の各種遊技情報（オプション情報）の出力を受付けるデータ入出力部３３６、これらカードユニット３を構成する各部の制御や前記操作基板１８に実装された度数表示部１７の制御等を実施するＭＰＵ３２９、ワークメモリ等として使用されるＲＡＭ３３０、前記ＭＰＵ３２９が実行する制御内容が記述された制御プログラム等が記憶されたＲＯＭ３３１等が設けられた、所有者特定記録媒体受付判断手段、所有者不特定記録媒体受付判断手段並びにエラー発生判断手段としての制御ユニット３２８を内蔵しており、これら各部は図７に示すように接続されていて、前記ＭＰＵ３２９が実行する制御プログラムにより、カードユニット３を構成する各部の動作が制御される。
【００６６】
また、本実施例のカードユニット３は、図６に示すように、カードユニット３本体とその上下位置に形成されたユニットホルダ３１’にて係合し、該カードユニット３本体を前面方向に引き出し可能に保持するユニットホルダ３１を介して遊技島に設置されており、カードユニット３の前面下部位置には、シリンダ錠（図示略）が設けられていて、係員等が所持する解錠キーにより施錠を解除することでカードユニット３が引き出しできるようになっている。また、該ユニットホルダ３１には、各種接続ケーブルを中継するためのコネクタが設けられており、前記カードリーダライタ３２７とシステムコントローラ１００とを接続するケーブルや、前記制御ユニット３２８と会員管理コンピュータ１２０とを接続するケーブルも、該ユニットホルダ３１を介して中継接続されていて、これらケーブルが前記カードユニット３本体の引き出し時に絡まって、カードユニット３本体が引き出せなくなってしまうことがないように工夫されている。
【００６７】
また、本実施例に用いた紙幣識別ユニット３２２は、その後端側（紙幣挿入先端側）が紙幣回収路３５２を介して遊技島内を横断するように架設された紙幣搬送路３５０に連結されている。該紙幣識別ユニット３２２は、会員カード３７が受付中であって、読み出された度数が残存しない場合（０度の場合）において、紙幣の挿入を受付け、該受付けた紙幣を識別するように前記制御ユニット３２８にて制御される。この識別により受付けた紙幣が正規の紙幣（１０００円紙幣、２０００円紙幣、５０００円紙幣、１００００円紙幣）であると識別した場合には、該識別結果を前記制御ユニット３２８に出力するとともに、該識別した紙幣を紙幣識別ユニット３２２内に追加入金処理或いはビジターカード３８の発行貸出処理が完了するまで留保し、これら各処理が完了した後に前記紙幣回収路３５２を通じて紙幣搬送路３５０に送り出すとともに、正規の紙幣ではないと識別した場合には受付けた紙幣を返却するようになっている。また、本実施例において前記紙幣識別ユニット３２２は、カードユニット３（カードリーダライタ３２７）とシステムコントローラ１００とが通信接続されていないオフライン時の場合や会員カード３７が受付中ではない場合において、１０００円紙幣のみを受付け、それ以外の紙幣を返却して受付けないように前記制御ユニット３２８にて制御されているとともに、会員カード３７が受付中であって、該会員カード３７により特定される度数が残存する場合には、オンライン／オフラインに拘わらずにいずれの紙幣も受付けないように制御ユニット３２８にて制御されている。
【００６８】
また、本実施例に用いた前記硬貨識別ユニット３２４は、図６に示すように、硬貨返却路３２５を介して前記硬貨返却口３１３に連設されているとともに、硬貨回収路３２６並びに硬貨回収樋３５３を介して遊技島内を横断するように架設されたコイン搬送路３５１に連結されている。該硬貨識別ユニット３２４は、会員カード３７が受付中であって、読み出された度数が残存しない場合（０度の場合）或いは会員カード３７が受付中ではない場合において、硬貨の投入を受付け、該受付けた硬貨を識別するように前記制御ユニット３２８にて制御される。この識別により受付けた硬貨が正規の硬貨（１００円硬貨、５００円硬貨）であると識別した場合には、該識別結果を制御ユニット３２８に出力するとともに、該識別した硬貨を前記コイン搬送路に排出し、正規の硬貨ではないと識別した場合には硬貨返却口３１３より返却する。また、前記硬貨識別ユニット３２４は、会員カード３７が受付中であって、該会員カード３７より読み出された度数が残存する場合には、前記紙幣の場合と同様に硬貨を受付けないように制御ユニット３２８にて制御されている。
【００６９】
また、前記ＲＡＭ３３０内の所定アドレスには、挿入されている会員カード３７の所有者識別情報である会員ＩＤ並びに会員カードＩＤが記憶される会員ＩＤレジスタや、貯蓄球数が記憶される貯蓄球数レジスタや、暗証番号レジスタや、度数が記憶される度数レジスタに加えて、制御ユニット３２８に接続されている前記補給球計数器２４並びにアウト球計数器２６からの計数信号の入力に基づく営業開始時点からの補給球総数並びにアウト球総数が記憶される補給球総数レジスタやアウト球総数レジスタと、会員カード３７の挿入中における補給球計数器２４並びにアウト球計数器２６からの計数信号に基づく会員遊技者の遊技における補給球総数並びにアウト球総数が記憶される会員補給球数（ＩＮ）レジスタや会員アウト球数（ＯＵＴ）レジスタ、前記情報出力部２９８から出力される大当り情報に基づく大当り回数が加算記憶される特賞回数レジスタと、会員カード挿入中における大当り回数が加算記憶される会員特賞回数レジスタと、前記システムコントローラ１００とのオフライン時において遊技並びに追加入金に使用された会員カードＩＤ及び入金ＩＤ及び度数が記憶される履歴記憶領域が設けられており、該履歴記憶領域に記憶されているオフライン時において遊技或いは追加入金の履歴が、前記システムコントローラ１００との通信状態がオンライン状態に復旧した際に、前記システムコントローラ１００に送信されることで、システムコントローラ１００にて管理されている会員カード３７の度数の整合性が保たれるようになっている。
【００７０】
更には、前記補給球総数レジスタやアウト球総数レジスタの営業開始時点からの補給球総数とアウト球総数が前記会員管理コンピュータ１２０へ送信され、且つ会員カード３７の返却時において該会員カード３７の挿入時からの前記会員補給球数（ＩＮ）レジスタ並びに会員アウト球数（ＯＵＴ）レジスタに記憶されている会員遊技者の遊技に伴う補給球数（ＩＮ）とアウト球数（ＯＵＴ）と会員特賞回数レジスタに記憶されている会員特賞回数とが前記会員管理コンピュータ１２０へ送信されることで、パチンコ機２の営業開始時点からの収支とともに、各会員遊技者の収支を会員管理コンピュータ１２０が把握できるようになっている。
【００７１】
また、前記特賞回数レジスタのデータは、営業終了時の締め処理において会員管理コンピュータ１２０へ送信されることで、各パチンコ機２にて営業中に発生した大当り総回数を会員管理コンピュータ１２０が把握することができるようになっているとともに、会員カード３７の返却時に該会員カード３７の挿入時からの前記会員特賞回数レジスタに記憶されている会員特賞回数が会員管理コンピュータ１２０へ送信されることで、各会員の遊技中に発生した大当り回数も管理コンピュータ１２０が把握することができるようになっている。
【００７２】
また、本実施例では、前述のように、会員カード３７への入金を実施するための入金装置２１を遊技場内の所定位置に設けている。この入金装置２１には、前記カードユニット３に設けられている硬貨識別ユニット３２４や紙幣識別ユニット３２２並びに前記カードリーダライタ３２７とほぼ同様の硬貨識別ユニットや紙幣識別ユニット並びに前記カードリーダライタや各種操作ボタン等が設けられており、会員遊技者は、自分が所有する会員カード３７に残存する度数が「０」である場合において、該会員カードに１万円を上限として入金を実施し、該入金した会員カードを前記カードユニット３に挿入することで、該入金に相当する度数を遊技に使用することができるようになっている。
【００７３】
これら会員カード３７への入金においては、前記システムコントローラ１００に対し、会員カード３７に記録されている会員カードＩＤと入金金種と数量とが送信されることで、該システムコントローラ１００にて新たに入金ＩＤ（プリペイドＩＤ）が生成され、該入金ＩＤ（プリペイドＩＤ）と入金額とが対応付けて登録されるとともに、該入金ＩＤ（プリペイドＩＤ）が入金装置２１に返信され、これら入金ＩＤと入金額に相当する度数とが会員カード３７に記録されて返却される。尚、この入金に際してシステムコントローラ１００は、入金装置２１より送信されてきた会員カードＩＤが、システムコントローラ１００に登録されているか、若しくは登録されていても使用不可に設定されていないかを確認し、該確認において問題ない場合において前記入金ＩＤを生成して入金装置２１に返信するようになっており、システムコントローラ１００に登録されていない会員カード３７や後述するブラックリストやあみかけリストに該当する会員カード３７への入金が実施できないようになっている。
【００７４】
また、この入金処理された会員カード３７をカードユニット３にて使用する場合には、前記会員カード３７に記録された入金ＩＤと度数、並びに会員ＩＤと会員カードＩＤとがカードリーダライタ３２７により読み出され、該読み出された情報の内、会員カードＩＤと入金ＩＤ並びに度数とが該カードリーダライタ３２７の制御基板３２７ｂからシステムコントローラ１００に送信されて前記登録情報との比較、照合による会員カード３７の使用の可否を判定する使用可否判定処理が実施され、これら照合が一致した場合においてのみ、該度数の大きさが制御ユニット３２８を通じて前記操作基板１８上の度数表示部１７に表示されることで、遊技に使用することができるようになっていて（図１８参照）、該度数が使用された場合には、該使用度数が前記システムコントローラ１００に送信されて該当する入金ＩＤに対応して登録されている度数の大きさが更新されるようになっている。（図９参照）
【００７５】
次いで、本実施例における記録媒体管理装置であるシステムコントローラ１００について説明すると、該システムコントローラ１００は、図８に示すように、コンピュータ内部にてデータの送受を行うデータバス１０１に、該システムコントローラ１００が実施する後述する使用可否判定処理等の各種処理や後述のカード管理ＤＢの更新処理等を行うＣＰＵ１０２、ワークメモリ等として使用されるＲＡＭ１０３、時刻情報やカレンダ情報を出力するＲＴＣ１０４、磁気ディスクや光磁気ディスクから成る記憶装置１０５、ファンクションメニュー等が独自に割り当てられた専用化されたキーボードである入力装置１０６、各種情報を表示出力する表示装置１０７、各種情報をプリント出力するプリンタ１０８、前記会員管理コンピュータ１２０とのデータ通信を行う第１通信部１０９、前記カードユニット３（カードリーダライタ３２７）とのデータ通信を行う第２通信部１１０、前記カード会社に設けられた管理サーバと電話回線を通じてデータ通信を可能とするためのデジタルサービスユニット（ＤＳＵ）１１１が接続された通常のコンピュータである。
【００７６】
また、前記記憶装置１０５には、該システムコントローラ１００の処理を実施するための処理プログラムに加えて、図９（ａ）〜（ｃ）に示すような各種テーブル（データベース）が登録されている。
【００７７】
まず、図９（ａ）の会員属性情報テーブル（会員データベース）は、会員カード３７の会員ＩＤ毎に、当該会員カード３７を所持する会員遊技者の氏名（名字並びに名前）、性別、年齢、誕生日、職業、住所からなる会員遊技者の会員帰属情報と、当該会員カード３７に記録されている会員情報の更新の有無（会員カード３７に記録されている会員情報が最新のものに更新されている場合には「更新済」が登録され、会員情報が記録されていない場合や最新のものに更新されていない場合には未更新が登録される）と、が対応付けて登録されており、これら会員属性情報テーブル（会員データベース）の登録情報は会員管理コンピュータ１２０に登録されている会員情報テーブル（図１６参照）の登録内容と同一となるように起動時や変更発生時において逐次更新される。
【００７８】
また、図９（ｂ）に示す記録媒体データベースとしての会員カードマスターテーブルには、各会員の会員ＩＤと該会員に発行された会員カード３７の会員カードＩＤ毎に、前記入金装置２１の入金処理やカードユニット３における後述の追加入金処理が実施される毎に付与される入金ＩＤと、入金ＩＤに該当する追加入金処理が実施された入金装置２１或いはカードユニット３の装置ＩＤと、追加入金処理に供された入金額に相当する入金度数と、該入金度数から後述の貸出処理に使用された使用度数と、前記入金度数のうち未だ貸出処理に使用されていない残存度数と、そのカードが前記カード会社の管理サーバから配信される後述する運用情報に含まれるブラックリスト或いはあみかけリストに基づき、その会員カードが使用不可であるかを示す使用不可情報と、が対応付けて登録されていて、これら会員カードマスターテーブルに登録されている残存度数と対応する会員カードに記録されている残存度数とが一致するように登録、管理されているとともに、前記ブラックリスト或いはあみかけリストに該当する会員カードの使用不可情報（フラグ）が使用不可「１」として登録されることで、該会員カードの使用が禁止されるようになっている。
【００７９】
また、図９（ｃ）に示すカードユニット別データテーブルには、前記カードユニット３の装置ＩＤ毎に、当該カードユニット３が設置されている遊技島の島番号と、その通信状況（オンラインかオフラインか）と、対応するパチンコ機２の機種名である対応機種と、装着されているビジターカード３８のシリアル番号とビジターカードＩＤと、後述の貸出処理に使用された度数の累計である総使用度数と、該総使用度数のうちビジターカード３８から使用された度数であるＶカード使用度数と、会員カード３７から使用された度数である会員カード使用度数と、当該カードユニット３にて入金された入金総額である会員カード入金金額並びに該入金のために受付けた現金の各金種毎の数量である１００００円、５０００円、２０００円、１０００円、５００円、１００円とが登録されており、これらカード管理ＤＢにおける登録データ並びに前記会員カードマスターテーブルに登録されている残存度数等の各種データは、前記カードユニット３からその都度送信される各種情報に基づき更新されるようになっている。
【００８０】
また、本実施例の管理データベース（ＤＢ）内には図１０に示すように、営業当日の会員の遊技履歴が登録される会員遊技履歴テーブルが設けられており、各会員遊技者が前記カードユニット３に自己の会員カード３７を挿入して、玉貸操作を実施することで、該玉貸が実施されたカードユニット３の装置ＩＤと該カードユニット３にて玉貸に使用された使用度数とが、１遊技履歴として登録されるようになっており、これら会員遊技履歴テーブルに登録されている使用度数のデータが、遊技終了時においてカードユニット３から会員カード３７が返却されたことに基づき、前記会員管理コンピュータ１２０から出力される使用度数照会において、該当する使用度数が会員管理コンピュータ１２０に返信されるようになっている。
【００８１】
また、本実施例のシステムコントローラ１００においては、図１１に示すように、前記各テーブル並びにデータベースに基づき、各種カード管理、カードユニット管理並びに売り上げに関する種々の情報を、本日はもとより前日以前の過去のデータも出力可能とされている。
【００８２】
具体的には、図１２に示す機能選択画面において、表示されている各選択項目から所望する項目並びに出力させたい日付を選択或いは入力することで、図１１の項目（１）〜（７）に示すように、（１）日計表、（２）島別売上表、（３）個別売上、（４）個別詳細情報、（５）時間別売上、（６）帳票管理、（７）機器交換履歴の各項目を図１３に示す前記（３）個別売上のように表示或いはプリント出力することができるようになっている。
【００８３】
本実施例のシステムコントローラ１００では、前記（１）日計表として、選択された日付の店舗全体の会員並びにビジターの各売上や総売上金額や会員カードへの入金総額、会員カードの精算総額等の情報が表示される店舗日計表や、選択された日付の前記カードユニット毎の会員並びにビジターの各売上や総売上金額や会員カードへの入金総額等の情報が表示されるサンド日計表や、選択された日付の前記入金装置２１による入金回数や入金総額等が表示される入金機日計表や、選択された日付の前記精算装置２２における精算回数や精算金額が表示される精算機日計表と、が表示されるようになっている。
【００８４】
また、前記（２）島別売上表を選択した場合には、選択された日付の前記島毎の会員並びにビジターの各売上や総売上金額や会員カード３７への入金総額等の情報が表示され、（３）個別売上を選択した場合には、図１３に示すように、選択された日付の各カードユニット（ＣＵ）３毎の会員並びにビジターの売上（消費）や会員カード３７への入金総額等の各情報が表示され、前記（４）個別詳細情報を選択すると、選択された日付の各機器の売上、受付金種別の受付数、通信状態や会員カード挿入の有無等の各機器の詳細情報が表示され、前記（５）時間別売上を選択した場合には、選択された日付の各時間帯における店舗全体の会員並びにビジターの各売上や総売上金額や会員カード３７への入金総額や精算総額等の情報が表示される。
【００８５】
また、前記（６）帳票管理を選択した場合には、選択した帳票を印刷することができ、前記（７）機器交換履歴を選択した場合には、選択した日付において前記カードユニットストッカ２０内の予備用カードユニットとの交換があった場合に、その交換された時間や交換された機器の情報が表示されるようになっている。
【００８６】
また、前記（１）〜（７）の日付選択する項目以外に、項目（８）〜（１３）の日付選択を必要としない表示項目（メニュー）が設けられており、項目（８）の仮締め情報を選択することで、通信がオフライン状態或いは何らかの障害により正規の締め処理がなされずに仮締め処理がなされたカードユニット３のとその売上等の情報が表示され、項目（９）のエラー情報管理を選択すると、各接続機器のエラー発見日時、復旧日時、エラー名などのエラー情報が検索して表示され、項目（１０）の操作履歴を選択すると、各カードユニット３や前記入金装置２１並びに精算装置２２が操作された日時や時間内容などの操作履歴（通信履歴）が表示され、項目（１１）の営業状態を選択した場合には、各接続機器の通信接続や会員カード３７の受付状況等の状態が表示され、項目（１２）の営業定数を選択すると、締め処理において自動印刷される帳票の種別設定を行う画面が表示され、項目（１３）のビジターカード情報を選択することで、各カードユニット３に装着されているビジターカード３８の書き込み回数情報や、交換履歴（交換日付）等の情報が表示されるようになっていて、該システムコントローラ１００において、各カード３７，３８並びにカードユニット３や入金装置２１や精算装置２２の管理が実施されるようになっている。
【００８７】
また、これら売上（消費）に関する情報や入金に関する情報並びに会員カード３７の残金情報は、営業の終了時に実施される締め処理にて前記カード会社の管理サーバ１２へ送信されるとともに、前記図１３に示す個別売上のように、各カードユニット３毎の消費金額や入金金額等の情報並びに店舗全体の消費総額や入金総額の情報が前記会員管理コンピュータ１２０へ出力されることで、該会員管理コンピュータ１２０にても、会員カード３７並びにビジターカード３８による売り上げを管理できるようになっているとともに、これら売り上げ情報が会員の遊技動向の分析やイベント効果等のデータとして活用されるようになっている。
【００８８】
また、会員カード３７の返却が前記カードユニット３にて発生した場合においては、前述のように、その返却時において会員管理コンピュータ１２０からの当該会員カード３７の会員カードＩＤ並びにカードユニット３の装置ＩＤを含む使用度数照会の送信に基づき、照会された会員カードＩＤに該当する会員遊技者が照会されたカードユニット３にて遊技に使用した消費金額が売上金額として会員管理コンピュータ１２０に返信されることで、該会員管理コンピュータ１２０では、図１７（ｃ）に示すように、その会員遊技者の来店履歴の売上金額として登録される。
【００８９】
ここで、本実施例に用いたシステムコントローラ１００と前記カード会社に設置されている管理サーバ１２との連携について図１４に基づき説明する。まず、システムコントローラ１００は、図示しない無停電電源装置（ＵＰＳ）に接続されていて、該ＵＰＳに設定されている営業日の所定時間において自動的に起動されるようになっている。該ＵＰＳによる電源投入（起動）が実施されると、自動的に前記記憶装置１０５に記憶されている処理プログラム（Ｐ）が起動されて、記憶装置１０５に記憶されている各ファイルの異常を、誤り訂正符号（ＣＲＣ）に基づきチェックするとともに、接続されているカードユニット３や入金装置２１並びに精算装置２２等の接続機器に異常がないかを確認し、異常があれば異常内容を前記管理サーバ１２に通知し、異常がなければチェック完了を管理サーバ１２に通知する。
【００９０】
該チェック完了の送信を受けて管理サーバ１２は、前日（前回の営業日）の締め時においてシステムコントローラ１００から送信を受けて登録してある会員残金を読み出してシステムコントローラ１００に送信する。該送信を受けて、システムコントローラ１００は、送信されてきた会員残金と自己に登録されている前回の締め時の会員残金との照合を実施し、該照合が一致しない場合には、不正なデータ操作があったものと判断して残金異常通知を管理サーバ１２へ通知する。
【００９１】
この会員残金の照合が一致した場合には、前回締め時に管理サーバ１２より配信された運用情報に含まれている新規発行可能な会員カードの会員カードＩＤと会員ＩＤ並びにブラックリストやあみかけリストを受信した場合は、該ブラックリストやあみかけリストに該当する会員カードＩＤと会員ＩＤとを会員管理コンピュータ１２０へ送信する。この新規発行可能な会員カードの会員カードＩＤと会員ＩＤの送信を受けて会員管理コンピュータ１２０は、これら受信した会員カードＩＤと会員ＩＤを図１６（ａ）に示すように、後述する会員情報テーブルに新規発行可能な未発行カードとして登録する。
【００９２】
このように、営業が開始される以前の営業中以外の時間帯において前記新規発行可能な会員カードの会員カードＩＤと会員ＩＤとを会員管理コンピュータ１２０へ送信するようにすることは、営業中にあっては、多数の会員カード３７の使用に伴う処理を実施する必要があるため、システムコントローラ１００や会員管理コンピュータ１２０の処理負荷が大きなものとなってしまうことから、これら送信に伴うシステムコントローラ１００や会員管理コンピュータ１２０の処理負荷を低減できるようになることから好ましいが、本発明はこれに限定されるものではなく、営業中にあっても必要に応じて、これら新規発行可能な会員カードの会員カードＩＤと会員ＩＤとを会員管理コンピュータ１２０へ送信するようにしても良い。また、本実施例にては、営業開始前に前記送信を行っているが、該送信を営業中以外の時間帯として営業後に実施するようにしても良いことは言うまでもない。
【００９３】
前記会員管理コンピュータ１２０への新規発行可能な会員カードの会員カードＩＤと会員ＩＤの送信の後、システムコントローラ１００は、営業の開始通知を前記管理サーバ１２へ送信して、該管理サーバ１２より開始許諾を受信することで、営業中処理へ移行する。
【００９４】
該営業中において、前記会員管理コンピュータ１２０にて、新規会員の属性情報の登録による新規会員登録がなされ、該新規会員への会員ＩＤ並びに会員カードＩＤの割り当てや、既存会員の会員帰属情報の変更があった場合には、新規発行情報又は更新情報が会員管理コンピュータ１２０からシステムコントローラ１００に送信され、該新規発行情報又は更新情報に基づき図９（ａ）に示す会員属性情報テーブルに新規会員の登録或いは会員情報の更新が実施され、これら更新が実施された場合には、更新の項目に未更新が登録されて、該当する会員カード３７が使用された場合に、該更新或いは新規登録された会員属性情報が、会員カード３７が使用されたカードユニット３に送信されて、会員カード３７に記録されるようになっている。
【００９５】
また、この営業処理中において前記管理サーバ１２は、所定期間毎にシステムコントローラ１００に対し、稼働を確認するためのヘルスチェックデータを送信し、該ヘルスチェックデータに対する応答に基づいて、システムコントローラ１００が正常に動作しているかを確認するようになっているとともに、システムコントローラ１００も各カードユニット３に対して、前記ＬＡＮ上に通信接続確認用のブロードパケットを所定時間毎、例えば５秒毎に送信することで、該ブロードパケットの受信の有無により、各カードユニット３中の前記カードリーダライタ３２７に設けられている前記制御基板３２７ｂが、オンライン／オフラインの通信状態の確認を実施できるようになっている。
【００９６】
また、営業処理中において接続機器やカードの残額異常等の不正を検出した場合においてシステムコントローラ１００は、管理サーバ１２に対して不正検知或いは異常検知を通知することで、管理サーバ１２が設置されているカード会社において、これら異常や不正を把握できるようになっている。
【００９７】
営業時間が終了した後においてシステムコントローラ１００は、締め処理を実施する。この締め処理においては、その営業日における店舗全体の売上が集計された日計売上や、各カードユニット３毎や会員カード毎の売上等を含む個別売上や、各会員カード３７に残存する遊技用価値である度数に相当する残金の情報を含む会員残金等の各情報を含む集計データが管理サーバ１２へ送信されるとともに、該管理サーバ１２は、その遊技場が該当する店舗情報と運用情報とを配信するとともに、最後に前記のヘルスチェックデータによる動作確認を実施し、該動作確認の後、システムコントローラ１００の電源が前記ＵＰＳにより遮断される。
【００９８】
この管理サーバ１２より配信される前記運用情報には、その遊技場からの発注に基づき発送された会員カード３７の会員カードＩＤと会員ＩＤ並びにビジターカード３８のシリアル番号とビジターカードＩＤとともに、カード会社が使用を禁止した会員カード３７の会員カードＩＤと会員ＩＤが記述されたブラックリストや、カード会社から遊技場への配送途中に紛失や盗難、或いは製造不良であると判明した会員カード３７の会員カードＩＤと会員ＩＤが記述されたあみかけリストが含まれており、該ブラックリスト並びにあみかけリストに登録されている会員カード３７に該当する会員カード３７が前記会員カードマスターテーブルに登録されている場合において、該会員カード３７の使用不可情報（フラグ）が使用不可「１」として登録されて、その会員カード３７の使用が不可とされるようになっている。
【００９９】
次いで、本実施例の催事対象者判断手段である会員管理コンピュータ１２０について説明すると、該会員管理コンピュータ１２０は、図１５に示すように、コンピュータ内部にてデータの送受を行うデータバス１２１に、該会員管理コンピュータ１２０が実施する会員の帰属情報を受付けて会員ＩＤに対応付けて登録管理するとともに、これら会員カードの使用に基づく各情報に基づいてイベント評価等の各種の分析処理や後述の会員管理ＤＢの更新処理並びに前記システムコントローラ１００からの売上情報に基づく売上集計等の各種データの集計処理等を行うＣＰＵ１２２、ワークメモリ等として使用されるＲＡＭ１２３、時刻情報やカレンダ情報を出力するＲＴＣ１２４、磁気ディスクや光磁気ディスクから成る記憶装置１２５、新規会員に関する個人情報等の会員帰属情報等の各種情報を受付けるためのキーボードやマウス等の入力装置１２６、機能選択を実施することで、例えば新規会員の登録画面や売上情報並びに未発行の会員カードの会員ＩＤや枚数等の情報を出力するための表示装置１２７並びにプリンタ１２８、前記システムコントローラ１００とのデータ通信を行う収集手段としての第１通信部１２９や前記カードユニット３（制御ユニット３２８）とのデータ通信を行う収集手段としての第２通信部１３０、が接続された通常のコンピュータである。
【０１００】
また、前記記憶装置１２５には、該会員管理コンピュータ１２０が処理を実施するための各種処理プログラムに加えて、図１６（ａ）に示すように、会員カード３７の会員ＩＤ並びに会員カードＩＤ毎に、その時点の貯蓄玉数と、本人確認のための暗証番号と、来店回数と、来店ポイントと、最後の来店日と、これら来店回数や収支金額等に基づく会員ランクと、会員登録日、並びに当該会員カード３７を所持する会員遊技者の氏名（名字並びに名前）、性別、年齢、誕生日、職業、郵便番号、住所、電話番号、携帯電話番号等の個人情報や、交通手段、趣味、記念日、電子メールアドレス並びにダイレクトメールの送付の可否等からなる会員遊技者の帰属情報と、当該会員カード３７を所持する会員遊技者が本日イベント対象者であるか否かを示すイベント対象者フラグ（本日のイベント対象者である場合には「Ｙｅｓ」が登録され、イベント対象者ではない場合には「Ｎｏ」が登録される）と、後述する会員登録／変更画面において新規登録または登録変更が実施された場合に登録される更新状況（新規登録または登録変更が実施された場合には「Ｙｅｓ」が登録され、これら新規登録または登録変更に基づく登録内容が、前記システムコントローラ１００の前記会員属性情報テーブルに反映された時点で「Ｎｏ」が登録される）と、新規会員の帰属情報等の各種情報の登録がなされた際に「未」から「既」が登録される発行状況と、が登録される会員情報テーブル（遊技者データベース）が記憶されており、前記発行状況には、前記システムコントローラ１００から送信されてきた新規発行可能な会員ＩＤ並びに会員カードＩＤが登録された際に、「未」が登録されて、該発行状況を確認することで、その時点にて未発行でかつ発行可能な会員カード３７を選出できるようになっている。
【０１０１】
また、本実施例の前記記憶装置１２５には、前記会員情報テーブル（遊技者データベース）に加えて図１６（ｂ）に示すように、後述する入力タブの選択により前記表示装置１２７に表示されるイベント登録画面（図示略）にて登録された登録内容であるイベント名と、実施期間と、実施時間と、対象条件（全会員、女性会員、来店回数５０回以上の会員等）と、対象となるカードユニット３の範囲（全ユニット、〜番島、対象となるカードユニット３の個別の装置ＩＤ等）と、対象者に対する特典（無制限、粗品進呈、等価交換等）と、対象となるカードユニット３において対象者である旨を報知する際の報知条件（遊技開始時、使用額〜円以上、遊技開始〜分後等）と、対象となるカードユニット３での事前報知の実施の有無（実施する場合には「Ｙｅｓ」が登録され、実施しない場合には「Ｎｏ」が登録される）と、イベント効果の比較において比較データとして用いるデータの集計期間（日数）と、が各イベント毎に付与されたイベントＮｏ．毎に登録されるイベントテーブルが記憶されている。
【０１０２】
更に、前記記憶装置１２５には、図１７（ｃ）に示すように、各会員遊技者の遊技履歴として、遊技（来店）日、遊技した台番号、遊技開始時間並びに終了時間と特賞回数と遊技時間、会員遊技者が遊技に消費した金額である売上金額、会員遊技者が遊技にて獲得することで遊技場が該会員遊技者に対して提供する景品と等価な金額である支出金額（最小数は１００円単位）、これら売上金額から支出金額を差し引いた収支金額と遊技場の勝敗、とが各会員遊技者毎に登録されている会員来店履歴データベース（ＤＢ）が記憶されている。
【０１０３】
また、前記記憶装置１２５には、図１７（ｄ）に示すように、前記締め処理に基づきシステムコントローラ１００から出力される各カードユニット３毎の会員並びにビジターの各売上並びに総売上情報とともに、前記カードユニット３から出力される前記補給球総数レジスタやアウト球総数レジスタに記憶されている営業開始時点からの補給球総数とアウト球総数の差球に基づき算出されるパチンコ機２の支出金額や、収支金額、並びに前記アウト球総数をパチンコ機２において単位時間（１分間）に打ち出させる平均打出数で除することで得られる稼働時間（分）や営業時間に占める稼働時間（分）の割合である稼働率とが、各台番号とその台タイプ並びに機種と島番号とともに登録される台別履歴データベース（ＤＢ）が記憶されており、これら各データベースに登録されている情報に基づいて、後述する各種情報の出力やイベント効果の集計が実施されるようになっている。尚、本実施例において支出金額の算出方法としては、前記補給球総数（補給球数（ＩＮ））からアウト球総数（アウト球数（ＯＵＴ））を差し引いた差球数に特殊景品との交換率を乗じて支出金額を算出している。
【０１０４】
以下、本実施例の遊技用システムにおける各部の処理状況並びにデータの授受について説明する。
【０１０５】
本実施例のカードユニット３は、前記会員カード挿入口３１９に挿入された会員カード３７の記録情報を読み出して前記システムコントローラ１００に送信する受付処理と、この受付処理において受付けられた会員カード３７より読み出された度数をパチンコ玉の貸出に使用するための貸出処理と、前記システムコントローラ１００との通信がオンライン状態で、前記会員カード３７が受付中でかつ残存する度数が０度の場合であって、複数金種の紙幣（１０００円紙幣、２０００円紙幣、５０００円紙幣、１００００円紙幣）または硬貨（１００円硬貨、５００円硬貨）が挿入または投入されて識別された場合に、該識別された金額に相当する度数（識別金額を１００で除算した値）を、受付けられている会員カード３７より読み出された度数（本実施例では「０」のみ）に加算する追加入金（価値加算）処理と、前記システムコントローラ１００との通信がオフライン状態において、低額紙幣（１０００円紙幣）または硬貨（１００円硬貨、５００円硬貨）が挿入または投入されて識別された場合に、該識別された金額に相当する度数を前記受付けられている会員カード３７より読み出された度数（本実施例では「０」のみ）に加算するオフライン入金処理と、前記システムコントローラ１００との通信状況に拘わらず前記会員カード３７が受付けられていない場合に低額紙幣（１０００円紙幣）または硬貨（１００円硬貨、５００円硬貨）が挿入または投入されて識別された場合に、該識別された金額に相当する度数を前記ビジターカード装着口３１８に挿入されたビジターカード３８に記録した後、該記録した度数の全てをパチンコ玉の貸出に使用する発行貸出処理（所有者不特定記録媒体遊技使用処理）と、以前の遊技にて貯蓄した貯蓄玉数を再度遊技に使用することのできる払戻処理と、を行うようになっている。
【０１０６】
この本実施例のカードユニット３の起動時（電源投入時）においては、図２１に示すように前記会員管理コンピュータ１２０との接続処理が実施される。この接続処理にあっては、電源投入に伴い、まず前記カードリーダライタ３２７の制御基板３２７ｂとシステムコントローラ１００との接続処理が実施され、該処理の完了を受けて制御基板３２７ｂから接続処理の動作指示が前記制御ユニット３２８へ出力される。
【０１０７】
該制御基板３２７ｂ（カードリーダライタ３２７）からの動作開始指示通知の出力に基づき制御ユニット３２８は、前記会員管理コンピュータ１２０に対して接続要求を行うとともに、前記補給球総数レジスタやアウト球総数レジスタ並びに特賞回数レジスタへの加算更新を開始する。
【０１０８】
前記接続要求を受信した会員管理コンピュータ１２０は、暗号用キーの作成に必要となる機器情報要求を制御ユニット３２８へ送信し、該制御ユニット３２８から機器情報応答を入手して暗号用キーを作成する。
【０１０９】
次いで会員管理コンピュータ１２０は、制御ユニット３２８が保持している最終トレースデータ番号の出力要求を送信して最終トレースデータ番号を入手し、前日の締め処理にて会員管理コンピュータ１２０に登録されている最終トレースデータ番号と入手した最終トレースデータ番号とを比較して、未取得のトレースデータが残存する場合には該未取得のトレースデータの出力要求を制御ユニット３２８に対して送信し、該未取得のトレースデータを入手する。
【０１１０】
これら未取得データの確認を実施した後、制御ユニット３２８に対して初期情報の設定要求を送信することで、制御ユニット３２８は、補給球総数レジスタやアウト球総数レジスタ並びに会員補給球数（ＩＮ）レジスタや会員アウト球数（ＯＵＴ）レジスタをリセットするとともに、特賞回数レジスタもリセットし、各レジスタのカウントを再開し、これら初期設定の処理が終了した段階にて設定通知を前記会員管理コンピュータ１２０に送信して通常処理状態へ移行し、現金の受付け待ち或いは会員カード３７の挿入待ち状態となる。
【０１１１】
この状態において会員カード３７が挿入された場合には、図１８に示す受付け処理が実施される。前記カードユニット３の会員カード挿入口３１９に会員カード３７が挿入されると、カードリーダライタ３２７は、該挿入された会員カード３７から会員カードＩＤと会員ＩＤ並びに入金ＩＤと度数とを読み出して、使用許諾要求と読み出した会員カードＩＤ並びに入金ＩＤと度数とを各カードユニット３に個別に付与された装置ＩＤとともに前記システムコントローラ１００に送信する。
【０１１２】
これら使用許諾要求並びに会員カードＩＤ、入金ＩＤ、度数、装置ＩＤを受信したシステムコントローラ１００は、図９（ｂ）に示す前記会員カードマスターテーブルにおいて受信した会員カードＩＤ並びに入金ＩＤとに対応して登録されている残存度数と使用不可情報（フラグ）とを抽出し、前記カードユニット３より受信した度数と前記抽出した残存度数とを照合するとともに使用不可情報（フラグ）を確認して会員カード３７の使用の可否を判定する使用可否判定処理を行い、照合が一致するとともに使用不可情報（フラグ）に使用不可登録がなされていない場合において、会員カード３７を使用可能と判断して使用許諾を送信元のカードユニット３（カードリーダライタ３２７）に返信する。また、前記照合において度数が一致しない場合には、カードユニット３（カードリーダライタ３２７）から受信した度数が、前記会員カードマスターテーブルに登録されている残存度数未満であるかを判別し、残存度数未満である場合には、該会員カードマスターテーブルの残存度数を前記受信した少ない方の度数に更新するとともに、使用許諾を送信元のカードユニット３（カードリーダライタ３２７）に返信する。また、前記会員カードマスターテーブルに該当する入金ＩＤが存在しない場合や受信した度数が会員カードマスターテーブルの残存度数を超える場合、並びに前記使用不可情報（フラグ）に使用不可登録がなされている場合には、使用不可を送信元のカードユニット３（カードリーダライタ３２７）に返信する。
【０１１３】
前記カードユニット３（カードリーダライタ３２７）が使用許諾を受信した場合には、挿入された会員カード３７を使用可能とし、前記読み出した会員ＩＤと度数とをカード取込通知とともに制御ユニット３２８に出力する。尚、システムコントローラ１００から使用不可を受信した場合には、会員カード３７を返却せずに前記多機能ランプ３０１の表示態様を、エラー報知である赤色の点滅点灯状態として該エラーの発生を報知して、係員のエラー解除（またはユニット交換）があるまでエラー状態で待機する。
【０１１４】
該出力を受けて制御ユニット３２８は、前記多機能ランプ３０１の表示状態を、会員カード受付中を示す青色の連続点灯状態とするとともに会員カード受付中表示部３４５を点灯し、前記出力された会員ＩＤデータと度数データとを、会員ＩＤレジスタ並びに度数レジスタに記憶して、図２２に示すように、会員管理コンピュータ１２０に対して会員ＩＤと装置ＩＤとを含む会員カード取込要求を送信する。
【０１１５】
該送信を受けて会員管理コンピュータ１２０は、送信されてきた会員ＩＤから会員を特定し、前記会員来店履歴データベース（ＤＢ）の該会員の来店履歴に遊技開始時刻並びに受信した装置ＩＤに対応する遊技機の台番号を登録するとともに、受信した会員ＩＤに対応して登録されている来店日の日付が本日の日付であるかを判別し、来店日が本日の日付でない場合には、来店日の項目を本日の日付に更新するとともに、前記会員情報テーブルの来店回数に１を加算する。また、会員ポイント並びに貯蓄球数と暗証番号とイベント対象の有無を前記会員情報テーブルから抽出して該会員ポイントに来店ポイント１００を付与加算更新し、新たな会員ポイントと貯蓄球数と暗証番号とイベント対象の有無の情報を含む会員カード取込応答を送信元の制御ユニット３２８に返信する。
【０１１６】
該会員カード取込応答の返信に基づき、制御ユニット３２８は、受信した会員カード取込応答中に、イベント対象者である旨の情報が存在する場合には、前記多機能ランプ３０１における青色の連続点灯表示を、イベント対象者ことを報知する表示態様である青色の点滅点灯表示に変更した後、受信した貯蓄球数と暗証番号とを貯蓄球数レジスタ並びに暗証番号レジスタに記憶するとともに、前記貯蓄球数が存在する場合であって該球数が所定の払出数に達している場合において、その再プレイ可能回数を前記会員カード用表示部３１４し、プレイ選択ボタン３１６又はエンターキー３１７からの入力待ち状態となる。
【０１１７】
この段階で、エンターキー３１７が選択された場合には１回の再プレイに相当する数のパチンコ球の払出指示がパチンコ機２へ出力されて、パチンコ機２の玉払出装置２９７からパチンコ球が払い出され、前記再プレイ可能回数から１が減算されて前記会員管理コンピュータ１２０へ使用通知が送信されて貯蓄球数のデータが減算更新される。また、プレイ選択ボタン３１６が選択された場合には、前記度数レジスタに記憶されている度数を前記度数表示部３０９並びにパチンコ機２の度数表示部１７に表示し、貸出処理を行なうことで会員遊技者は前記度数を使用して遊技を実施できるようになる。
【０１１８】
また、本実施例のカードユニット３は、システムコントローラ１００との通信ができない状態（オフライン状態）であっても既に受付けている会員カード３７に残存する度数を使用できるとともに、該度数が「０」となった場合でも、オンライン状態の上限値である１００００円からオフライン上限値である１０００円に上限値を変更し、該上限値の範囲で入金を実施でき、且つ、前記ビジターカード３８による貸出を実施できるようになっている。
【０１１９】
これらオフライン状態のカードユニット３における貸出処理について以下に詳述する。まず、カードユニット３が前記システムコントローラ１００との通信状態がオフラインであるかを検出するオフライン検出処理について、図２５に基づき説明する。
【０１２０】
本実施例では、これらオフライン検出処理を前記カードリーダライタ３２７に設けられている制御基板３２７ｂが実施するようになっており、該制御基板３２７ｂが実施するオフライン検出処理は、図２５に示すように、前記システムコントローラ１００から定期的（本実施例では５秒毎）に全てのカードユニット３に対して送信される前記ブロードパケットの受信が有るか否かの判定を実施し（Ｓａ１）、該判定においてブロードパケットの受信が有る場合においては、Ｓａ６へ進んで、前記制御基板３２７ｂ上に実装されている監視タイマのカウントをリセットして監視タイマをリスタートするとともに、Ｓａ７に進んでオンラインであると判断して、該オンライン状態であることを前記制御ユニット３２８に出力し（Ｓａ８）、前記Ｓ１に戻る。
【０１２１】
また、前記Ｓａ１において、ブロードパケットの受信がない場合においては、Ｓａ２に進んで、監視タイマがタイムアップ（カウントアップ）しているかの判定を実施し、該判定において、未だタイムアップ（カウントアップ）していない場合には前記Ｓａ１へ戻り、前記タイムアップ（カウントアップ）により予め定められたオフライン判定時間が経過していると判定した場合にはＳａ３に進んでオフラインと判断し、前記監視タイマのカウントをリセットして監視タイマをリスタートした後（Ｓａ４）、該オフライン状態であることを前記制御ユニット３２８に出力し（Ｓａ５）、前記Ｓ１に戻ることで、前記オンライン状態或いはオフライン状態が逐次前記制御ユニット３２８に出力される。
【０１２２】
これらオンライン状態或いはオフライン状態の出力は、前記制御ユニット３２８が実施する図２６に示す割り込み処理にて検出されて、オフライン状態における各種処理並びにオンライン状態への復旧に伴う処理が実施されるようになっている。
【０１２３】
この割り込み処理について説明すると、まず、前記制御基板３２７ｂからのオンライン状態或いはオフライン状態の出力はＳｂ１またはＳｂ１７により検出される。
【０１２４】
前記制御基板３２７ｂからオフライン状態の出力がなされた場合には、該出力がＳｂ１にて検出されてＳｂ２へ進み、前記多機能ランプ３０１の点灯色を赤色に変更して、前記システムコントローラ１００との通信がオフライン状態となったことを報知するとともに、Ｓｂ３において、その時点にて前記カードリーダライタ３２７にて受付け中の会員カード３７が存在するか否かの判定を実施する。
【０１２５】
該Ｓｂ３における判定において、受付け中の会員カード３７が存在しない場合にはＳｂ４へ進み、新たな会員カード３７の受付けを禁止し、前記会員カード利用可ランプ３０５を消灯して、新たな会員カード３７の受付けが不可であることを報知する一方、貨幣を受付けての前記ビジターカード３８による貸出の有効を継続した後、ビジターカード３８の処理ルーチンへ移行する。また、前記Ｓｂ３における判定において、受付け中の会員カード３７が存在する場合には、図２７に示すＳｂ５へ進む。
【０１２６】
該Ｓｂ５においては、前記会員カード利用可ランプ３０５の点灯を継続するとともに、入金の上限値をオンライン状態の上限値である１００００円からオフライン状態の上限値である１０００円に変更した後、Ｓｂ６へ進んで、受付け中の会員カード３７に残度数が存在するか否かを判定する。
【０１２７】
該残度数の有無判定において残度数が存在する場合にはＳｂ７へ進んで玉貸操作があるか否かの判定を実施し、玉貸操作が無い場合にはＳｂ１５へ進んで返却操作が有るか否かを判定し、該返却操作も無い場合には再度Ｓｂ７へ戻ることで、これらＳｂ７並びにＳｂ１５により、玉貸操作或いは返却操作待ちの状態となる。
【０１２８】
この段階にて玉貸操作が有った場合は、Ｓｂ８へ進んで、該残存する度数を使用した貸出処理へ移行し、該貸出処理にて貸出処理が実施された場合には、前記Ｓｂ６へ戻ることで、再度会員カード３７に残度数が存在するか否かの判定が実施され、これらＳｂ６による残度数の判定とＳｂ８の貸出処理が繰返し実施されることで、前記オフライン状態となる以前にカードユニット３に受付けられていた会員カード３７に残度数が存在する場合において、オフライン状態と成った後でも、これら残度数を遊技に使用することができるようになっている。
【０１２９】
また、前記Ｓｂ７並びにＳｂ１５による玉貸操作或いは返却操作待ちの状態において、返却操作が為された場合には、Ｓｂ１６へ進んで、オフライン入金処理において入金された度数の全てが使用されずに残存していることを示す返却無効フラグの有無判定を実施し、該返却無効フラグが存在する場合には、オフライン入金処理において入金された度数が残存していることから前記Ｓｂ７へ戻って玉貸操作の入力待ちとなり、これらオフライン入金処理において入金された度数が残存している状態にて会員カード３７が返却されないようになっている。
【０１３０】
また、前記Ｓｂ１６において返却無効フラグが無いと判定された場合には、既にオフライン入金処理において入金された度数の全てが使用されているものと判断して、Ｓｂ１４へ進み、該受付け中の会員カード３７を返却するとともに、Ｓｂ１７へ進んで、前記会員カード利用可ランプ３０５を消灯した後、前記ビジターカード３８の処理ルーチンへ移行することで、ビジターカード３８の発行貸出処理が実施可能とされる。
【０１３１】
また、前記Ｓｂ６の判定にて残度数が無し、詰まりは残度数が「０」であると判定された場合には、Ｓｂ９へ進んで返却無効フラグの有無判定を実施し、返却無効フラグが有る場合については、Ｓｂ１０へ進んで該返却無効フラグをクリアした後、Ｓｂ１１へ進む。
【０１３２】
このＳｂ１１においては、貨幣受付けがあるか否かを判定するとともに、該貨幣受付けが無い場合には、Ｓｂ１３へ進んで返却操作が有るか否かを判定し、返却操作が無い場合には、前記Ｓｂ１１に戻ることで、これらＳｂ１１並びにＳｂ１３ににより、貨幣受付け或いは返却操作待ちの状態となる。
【０１３３】
これら貨幣受付け或いは返却操作待ちの状態において、貨幣受付けがあった場合には、図２８に示すＳｂ１２のオフライン入金処理に進み、返却操作があった場合には、Ｓｂ１４へ進んで会員カード３７を返却するとともに、Ｓｂ１７へ進んで前記会員カード利用可ランプ３０５を消灯した後、前記ビジターカード３８の処理ルーチンへ移行することで、ビジターカード３８の発行貸出処理が実施可能とされる。
【０１３４】
次いで、図２８に示すＳｂ１２のオフライン入金処理について説明すると、前記受付け貨幣の識別をＳｃ１において実施するとともに、該受付け貨幣を紙幣識別ユニット３２２内或いは硬貨識別ユニット３２４内に留保した後（Ｓｃ２）、Ｓｃ３へ進む。
【０１３５】
該Ｓｃ３においては、前記識別した貨幣の金額が、オフライン上限値である１０００円以下の金額であるか否かを判定し、識別貨幣が１０００円よりも大きな貨幣である場合にはＳｃ８へ進んで、該受付け貨幣を返却した後、前記Ｓｂ６へ戻るようになっている。
【０１３６】
また、前記Ｓｃ３において識別貨幣が１０００円以下の貨幣である場合には、Ｓｃ４へ進んで、識別金額に相当する度数、例えば１０００円が識別貨幣であれば１０度数を、会員カード３７の残度数である「０」度数に加算更新し、該加算更新後の新たな度数である１０度数と、オフライン時の入金処理に使用されるオフライン入金ＩＤ（本実施例では該オフライン入金ＩＤとして、該オフライン入金を実施したカードユニット３の装置ＩＤを含む形態のＩＤを使用）を会員カード３７に記録した後、該入金を実施した会員カード３７のカードＩＤと入金度数と前記入金ＩＤとを前記履歴記憶領域に登録する（Ｓｃ５）。
【０１３７】
該履歴登録の後に、Ｓｃ６に進んで前記Ｓｃ２にて留保した貨幣を回収するとともに、Ｓｃ７に進んで返却無効フラグをセットした後、Ｓｂ６へ戻ることで、これら入金した度数を貸出処理に使用できるようになっている。
【０１３８】
また、前記制御基板３２７ｂからオンライン状態の出力がなされた場合には、該出力がＳｂ１７にて検出されてＳｂ１８へ進み、オフライン状態からのオンライン状態への変更であるか否かの判定を実施し、オフライン状態からのオンライン状態への変更である場合においてＳｂ１９へ進む。
【０１３９】
該Ｓｂ１９においては、前記多機能ランプ３０１の点灯色をオフラインを示す赤色からオンラインを示す緑色に変更して、前記システムコントローラ１００との通信がオンライン状態となったことを報知するとともに、Ｓｂ２０において、上限値をオンライン時の上限値である１００００円に変更するとともに、新たな会員カード３７の受付けを許諾して前記Ｓｂ２において消灯された会員カード利用可ランプ３０５を点灯して、新たな会員カード３７の受付けが可能であることを報知した後、前記履歴記憶領域にオフライン中の度数使用履歴の登録が存在するか否かを判定し（Ｓｂ２１）、オフライン中の度数使用並びに入金履歴が存在する場合においてＳｂ２２へ進んで、該オフライン中の履歴を前記システムコントローラ１００へ送信した後（Ｓｄ１２）、通常の処理ルーチンへ移行するようになっている。
【０１４０】
次いで、前記カードユニット３においてオンライン状態及びオフライン状態時に前記使用可否判定処理済みの会員カード３７を受付けている場合（前記図２７Ｓｂ８）に実施される貸出処理（遊技使用処理）について以下に説明すると、前記度数表示部３０９並びにパチンコ機２の度数表示部１７に度数が残存する場合に前記貸出ボタン１６が入力されることで、該度数を使用しての貸出処理（遊技使用処理）が実施される。
【０１４１】
この貸出処理の制御状況を図１９に基づき説明すると、前記パチンコ機２の賞球制御基板２３７は、前記カードユニット３の制御ユニット３２８と接続されて通信が可能な状態であるとスタンバイ状態となり、前記ＰＲＤＹをＬＯＷとする（Ｓ１）。
【０１４２】
このようにＰＲＤＹが出力されている状態において前記貸出ボタン１６が操作されると、制御ユニット３２８は、前記ＢＲＤＹをＬＯＷとし（Ｓ２）、この状態において、更に前記ＢＲＱをＬＯＷとする（Ｓ３）。
【０１４３】
次いで、前記賞球制御基板２３７は、前記ＢＲＤＹのＬＯＷを検出した状態においてＢＲＱのＬＯＷを検出すると、パチンコ玉の払い出しが可能であるか確認し、可能である場合には、前記ＥＸＳをＬＯＷとする（Ｓ４）。
【０１４４】
該ＥＸＳのＬＯＷを検出した制御ユニット３２８は、前記ＢＲＱをＨＩＧＨとし（Ｓ５）、該ＢＲＱのＨＩＧＨを検出した賞球制御基板２３７は、玉払出装置２９７に玉払出信号を出力し、これに基づき１度数に該当する玉数（本実施例では２５玉）の払出が実施されるとともに、該払出の終了に基づき、前記ＥＸＳをＨＩＧＨとする（Ｓ６）。
【０１４５】
該ＥＸＳのＨＩＧＨを検出した制御ユニット３２８は、前記度数レジスタに記憶している度数から１度を減算するとともに、前記度数表示部１７に表示されている度数から１度を減算して表示更新する。
【０１４６】
制御ユニット３２８は、これら（Ｓ３）〜（Ｓ６）の信号制御並びに度数の減算更新制御、前記貸出単位変更ボタン３０６にて設置された貸出度数分繰返し実施し、これら制御が終了した後、ＢＲＤＹをＨＩＧＨとして（Ｓ７）、貸出処理を終了する。
【０１４７】
このようにカードユニット３の制御ユニット３２８から出力されるＢＲＱのＨＩＧＨの検出回数に基づき、前記賞球制御基板２３７は１度分に該当する数量（２５玉）のパチンコ玉の貸出を実施するようになっており、このようにして貸出されたパチンコ玉を使用して遊技者はパチンコ機２における遊技を実施できるようになっている。
【０１４８】
尚、本実施例においては、前記Ｓ６が終了した段階で１度を減算するようにしているが、前記Ｓ３〜Ｓ６の処理を貸出度数分（例えば５度分の貸出であれば５回）繰返し実施した後、すなわち、貸出度数分のパチンコ玉が払い出された後、該貸し出された度数（例えば５度分の貸出であれば５度）を減算するようにしても良い。
【０１４９】
この会員カード３７による貸出処理の終了時に制御ユニット３２８は、カードリーダライタ３２７に、玉貸通知と該貸出処理により使用された使用度数を出力する。これに基づきカードリーダライタ３２７は、受付中の会員カード３７に記録されている度数を、前記制御ユニット３２８より受信した使用度数分減算した度数に更新記録するとともに、図１８に示すように、会員カード３７による貸出処理がなされたことを示す会員貸出完了通知と挿入されている会員カード３７の会員カードＩＤと入金ＩＤと前記制御ユニット３２８より受信した使用度数並びに装置ＩＤとをシステムコントローラ１００に対して送信するようになっている。尚、システムコントローラ１００との通信が不能な状態（オフライン）である場合には、前記ＲＡＭ３３０に前記度数使用履歴を記憶し、該度数使用履歴をシステムコントローラ１００との通信が可能（オンライン）となった際に送信する。
【０１５０】
また、これら会員貸出完了通知並びに会員カードＩＤ、入金ＩＤ、使用度数、装置ＩＤを受信したシステムコントローラ１００では、カード管理ＤＢの会員カードマスターテーブルにおいて該当する入金ＩＤの残存度数から前記受信した使用度数を減算更新し、使用度数に対して前記受信した使用度数を加算更新するとともに、前記カードユニット別データテーブルの前記受信した装置ＩＤに該当する総使用度数並びに会員カードの使用度数に対して前記受信した使用度数を加算更新する。更に、前記図１０に示す会員遊技履歴テーブルに、前記会員貸出完了通知とともに受信した会員カードＩＤの登録があるかを確認し、該登録が無い場合には該会員カードＩＤと、前記会員カードマスターテーブルにより該会員カードＩＤにて特定される会員ＩＤと、装置ＩＤ並びに前記使用度数とを登録する。尚、既に会員遊技履歴テーブルに受信した会員カードＩＤの登録がある場合においては、受信した装置ＩＤの登録があるかを確認し、登録がある場合にはその使用度数に受信した使用度数を加算更新し、受信した装置ＩＤの登録がない場合には個別の遊技と判断して新たな遊技として装置ＩＤと使用度数とを登録する。尚、図２６のＳｂ２２において、カードユニット３から送信されてきた度数使用履歴を受信した場合にも、前述と同様に各テーブルの更新を実施する。
【０１５１】
また、本実施例のカードユニット３においては、前記度数を使用しての遊技を選択した後において、前記エンターキー３１７を選択することで、該受付中の会員カード３７の会員ＩＤにより特定される貯蓄玉数の払戻を行う払戻処理を実施できるようになっている。
【０１５２】
この払戻処理を図１８に基づき説明すると、前記会員カード３７が受付けられ、制御ユニット３２８の会員ＩＤレジスタに前記受付中の会員カード３７から読み出された会員ＩＤと度数レジスタに度数とが記憶されている場合に、プレイ選択ボタン３１６の選択操作により「貯蓄」が選択されると、暗証番号の入力待ちの状態となる。
【０１５３】
この状態で暗証番号が入力されると、制御ユニット３２８は、前述のように、会員カード３７挿入時に会員管理コンピュータ１２０より受信した会員カード取込応答に基づき暗証番号レジスタに記憶されている暗証番号と入力された暗証番号とを照合する。この照合において暗証番号が一致した場合には、前記貯蓄球数レジスタに記憶されている貯蓄玉数に基づいて算出した再プレイ可能回数を会員カード用表示部３１４に表示し、これら表示されている再プレイ可能回数が残存する場合において貯蓄玉数の払戻が可能な状態となる。
【０１５４】
この状態において、エンターキー３１７が入力されると、前述の貸出処理とほぼ同様の要領でパチンコ機２における所定玉数の払出が実施される。
【０１５５】
この際、前記制御ユニット３２８は、記憶されている貯蓄玉数から払い出された玉数を減算更新し、会員カード用表示部３１４に表示されている再プレイ可能回数を１回分減算更新する。また、図１８に示すように、前記制御ユニット３２８は、貯蓄玉数の払戻がなされた旨を示す払戻完了通知と払戻玉数と受付中の会員カード３７の会員ＩＤと装置ＩＤとを会員管理コンピュータ１２０に対して送信するようになっている。
【０１５６】
また、これら払戻完了通知並びに払戻玉数、会員ＩＤ、装置ＩＤを受信した会員管理コンピュータ１２０では、会員管理ＤＢの会員情報テーブルにおいて前記受信した会員ＩＤに該当する貯蓄玉数から、前記受信した払出玉数を減算更新するようになっている。
【０１５７】
次いで、オンライン時における通常の追加入金処理を図１８に基づき説明すると、会員カード３７が受付中で、該会員カード３７より読み出された度数が残存しない場合（０度の場合）に、紙幣（１０００円紙幣、２０００円紙幣、５０００円紙幣、１００００円紙幣）または硬貨（１００円硬貨、５００円硬貨）が挿入または投入されると、紙幣識別ユニット３２２または硬貨識別ユニット３２４において挿入された紙幣または投入された硬貨の金額が識別され、且つ該識別貨幣の前記紙幣回収路３５２（紙幣搬送路３５０）或いは硬貨回収樋３５３（コイン搬送路３５１）への排出が留保されるとともに、識別金額が前記制御ユニット３２８に出力される。
【０１５８】
該出力を受けた制御ユニット３２８は、入金上限値が、前記紙幣識別ユニット３２２において識別可能な最高金額である１００００円であることから、これら上限値を識別貨幣金額が越えているかの判定を省略し、出力された識別金額を度数（識別金額を１００で除算した値）に変換し、該変換した度数（入金度数）と入金金種と数量とを入金金種情報としてカードリーダライタ３２７に出力する。
【０１５９】
入金度数の出力を受けたカードリーダライタ３２７は、追加入金がなされた旨を示す入金通知と前記入金金種情報と入金度数と受付中の会員カード３７の会員カードＩＤと装置ＩＤとをシステムコントローラ１００に送信する。
【０１６０】
これら入金通知並びに入金金種情報、入金度数、会員カードＩＤ、装置ＩＤを受信したシステムコントローラ１００では、入金ＩＤを生成し、該生成した入金ＩＤを送信元のカードユニット３（カードリーダライタ３２７）に返信する。
【０１６１】
システムコントローラ１００より入金ＩＤの返信を受けたカードリーダライタ３２７においては、受付中の会員カード３７に記録されている入金ＩＤ並びに度数、入金装置の装置ＩＤを、前記システムコントローラ１００より受信した入金ＩＤ並びに入金度数、当該カードユニット３の装置ＩＤに各々更新記録するとともに、更新完了を制御ユニット３２８に送信し、該更新完了を受信した制御ユニット３２８では、該処理完了をシステムコントローラ１００に送信する。
【０１６２】
該処理完了を受信したシステムコントローラ１００は、前記受信したカードユニット３の装置ＩＤと、前記受信した入金度数と、残存度数とを前記受信した会員カードＩＤに対応付けて会員カードマスターテーブルに更新登録するとともに、更新完了を送信元のカードユニット３（カードリーダライタ３２７）に返信する。この際、システムコントローラ１００は、前記カードユニット別データテーブルの会員カード入金金額に、該入金度数に対応する金額を加算更新登録するとともに、前記入金金種情報に基づく入金金種を該カードユニット別データテーブルの該当金種への加算登録を実施する。
【０１６３】
該更新完了を受信に基づきカードユニット３は、前記ＲＡＭ３３０に記憶されている度数を前記変換した入金度数に更新し、該更新した度数を前記度数表示部３０９並びに度数表示部１７に表示することで、会員遊技者は更新された度数に基づく前記貸出処理の実施が行えるようになるととともに、前記紙幣回収路３５２或いはコイン搬送路へ識別貨幣を排出する。
【０１６４】
これら追加入金処理中において、前記システムコントローラ１００との通信状態がオフラインになった場合においては、多機能ランプ３０１の表示色を赤色に変更した後、図２８のオフライン入金処理のＳｃ３へ移行して、前記識別した貨幣金額が前記オフライン上限金額である１０００円以下であるか否かの判定を前記制御ユニット３２８が実施し、前記識別した貨幣金額が１０００円を越える金額である場合には入金を無効として該識別貨幣を返却し、前記識別した貨幣金額が１０００円以下である場合には、Ｓｃ４〜Ｓｃ７の処理を実施するようになっている。
【０１６５】
このように本実施例では、前記識別貨幣の回収を追加入金処理並びにビジターカード３８の発行貸出処理の完了時まで留保するようにしており、このようにすることは、前記追加入金処理の完了以前に通信不可能（オフライン）状態が発生して、前記システムコントローラ１００にて受付中の会員カード３７の度数の更新が不能となった場合でも、これら追加入金処理に供された貨幣を特定できるとともに、前記受付け貨幣金額がオフラインの上限値を越えた金額である場合には、該受付け貨幣を返却できるので、これら追加入金処理に関するトラブルを防止できることから好ましいが、本発明はこれに限定されるものではなく、これら識別貨幣の回収を留保しない構成としても良い。
【０１６６】
また、本実施例では、前記のように、オンライン時の上限値と、該オンライン時の上限値よりも小さな金額であるオフライン上限値とを設け、オンライン時並びにオフライン時において、上限値を変更して、該上限値以内であれば追加入金を実施できるようにしているが、本発明はこれに限定されるものではなく、これら上限値を変更しない構成としたり、更にはこれら上限値を有しない構成としても良い。
【０１６７】
尚、本実施例に用いた前記入金装置２１における入金処理も前記したカードユニット３における入金処理と同様に処理され、前記システムコントローラ１００に新たに発行された入金ＩＤに対応付けて入金金額に相当する度数が登録されるようになっている。但し、この場合において入金された装置には、入金装置２１を示す固有のＩＤが登録されるようになっている。
【０１６８】
また、これら入金による度数が余ってしまった場合には、入金後の所定期間（本実施例では３日間以内）であれば、前記精算装置２２に会員カードを挿入することで、該会員カードに記録されている会員ＩＤ並びに度数とが、該会員ＩＤにより前記会員カードマスターテーブルにて特定される大きさの遊技用価値である度数が一致する場合に、該度数の現金への精算が実施され、該精算金額が精算を実施した会員カードＩＤとともに精算履歴としてシステムコントローラ１００に登録、管理される。
【０１６９】
また、前記入金された度数を使用して会員遊技者が遊技を実施している場合においてパチンコ機２にて大当りやプレミアムリーチが発生した場合には、前記情報出力部２９８より前述のように大当り情報やプレミアム発生情報が出力され、該出力情報に基づき、制御ユニット３２８は図２４に示すように、これら大当りやプレミアムリーチが発生したことを、識別可能な形態であるオプション信号情報通知として会員管理コンピュータ１２０へ送信して通知し、該大当りやプレミアムリーチの終了時にも大当りやプレミアムリーチが終了したことを、オプション信号情報通知にて会員管理コンピュータ１２０へ通知することで、該会員管理コンピュータ１２０は、現時点においてどの遊技機にて大当り或いはプレミアムリーチが発生しているかを把握できるようになっており、これら大当り或いはプレミアムリーチの発生に伴ってボーナスポイント等を付与できるようになっている。
【０１７０】
また、本実施例のカードユニット３においては、前記返却ボタン１５が入力されると、該操作が前記制御ユニット３２８により検出され、該制御ユニット３２８は前記カードリーダライタ３２７へカード排出指示を出力するとともに前記会員カード利用可ランプ３０５並びに会員カード受付中表示部３４５を所定時間点滅後に消灯し、カードリーダライタ３２７による会員カード挿入口３１９からの会員カード３７の排出を実施させて会員カード３７を遊技者に返却するようになっている。
【０１７１】
また、この返却時においては図２２に示すように、前記制御ユニット３２８は会員管理コンピュータ１２０へ、前記会員補給球数（ＩＮ）レジスタ並びに会員アウト球数（ＯＵＴ）レジスタの情報並びに前記会員特賞回数レジスタに記憶されている補給球数（ＩＮ）と打ち込み球数（ＯＵＴ）と大当り回数の各データと、返却される会員カード３７の会員ＩＤ並びに装置ＩＤとを含む会員カード抜き取り通知を送信する。この会員カード抜き取り通知を受信することにより、会員管理コンピュータ１２０は、該会員カードの挿入時において前記会員来店履歴データベース（ＤＢ）に登録した前記遊技開始時刻に対応する遊技終了時刻にその時点の時間を登録してこれら開始並びに終了時間から遊技時間を算出して登録するとともに、前記受信した大当り回数を登録する。
【０１７２】
また、前記にて受信した前記補給球数（ＩＮ）と打ち込み球数（ＯＵＴ）との差数から該会員遊技者の遊技における遊技場側の支出を算出し、前記会員来店履歴データベース（ＤＢ）に登録した後、前記システムコントローラ１００に対して該会員遊技者の会員ＩＤと装置ＩＤとを送信して使用度数照会を実施することで、前記会員遊技履歴テーブルに登録されている該当する使用度数を入手して、該入手した使用度数に基づきその会員遊技者が該遊技にて使用した消費（売上）金額を特定して前記会員来店履歴データベース（ＤＢ）の売上金額に登録し、この売上金額と前記の支出金額より収支金額を算出登録するとともに、その遊技場から見た勝ち負けを登録することで、各会員遊技者の遊技履歴の情報が収集されて前記会員来店履歴データベース（ＤＢ）に登録、管理されるようになっており、これら各会員の収支等の情報が個人履歴画面（図示略）にて表示される。
【０１７３】
次いで、オンライン時及びオフライン時において会員カード３７が挿入されていない場合にのみ実施されるビジターカード３８の発行貸出処理を図２０に基づき説明すると、前記会員カード３７が受付中ではない場合に、低額紙幣（１０００円紙幣）または硬貨（１００円硬貨、５００円硬貨）が挿入または投入されると、紙幣識別ユニット３２２または硬貨識別ユニット３２４において挿入された紙幣または投入された硬貨の金額が識別され、識別金額が前記制御ユニット３２８に出力される。これに基づき制御ユニット３２８は、前記カード発券中ランプ３１２を点灯するとともに、前記ＬＥＤモジュール３４６を発光させて透明カバー部材３１８’を点灯させ、前記出力された識別金額を度数（識別金額を１００で除算した値）に変換し、該変換した度数（発行度数）をカードリーダライタ３２７に送信する。
【０１７４】
この発行度数を受信したカードリーダライタ３２７では、装着されているビジターカード３８に前記受信した発行度数を記録することで、ビジターカード３８を遊技者に対して発行する形態をとるとともに、該ビジターカード３８に記録した発行度数を再度読み取り、制御ユニット３２８に送信する。
【０１７５】
カードリーダライタ３２７より発行度数を受信した制御ユニット３２８では、受信した発行度数をＲＡＭ３３０内の前記度数レジスタに記憶するとともに、度数表示部３０９並びに度数表示部１７に表示した後、読み出した全ての度数を前記貸出処理に使用し、パチンコ機２にパチンコ玉を払い出させる制御を実施し、これら全ての度数の貸出処理が終了した後、制御ユニット３２８は貸出処理の終了をカードリーダライタ３２７に出力する。尚、これら貸出処理の期間中においては、前記カード発券中ランプ３１２並びに前記ＬＥＤモジュール３４６は点滅点灯制御される。
【０１７６】
これに基づきカードリーダライタ３２７は、前記ビジターカード３８に記録した度数を０度に更新した後、更新完了を制御ユニット３２８に出力する。
【０１７７】
カードリーダライタ３２７より更新完了の出力を受けた制御ユニット３２８では、前記カード発券中ランプ３１２並びにＬＥＤモジュール３４６の点滅点灯を停止する。このようにして貸出されたパチンコ玉を使用して遊技者はパチンコ機２における遊技を実施できるようになっている。
【０１７８】
また、この発行貸出処理の終了時にカードリーダライタ３２７は、図２０に示すように、前記ビジターカード３８による発行貸出処理がなされたことを示す発行貸出完了通知とその際使用された使用度数（１度または５度または１０度）と装置ＩＤ並びに装着されているビジターカード３８のビジターカードＩＤとをシステムコントローラ１００に対して送信するようになっており、該システムコントローラ１００では、これらビジターカードによる売上（＝入金）を前記カードユニット別データテーブルのＶカード使用度数に加算更新するとともに、使用度数が１度の場合は１００円に１を加算、使用度数が５度の場合は５００円に１を加算、使用度数が１０度の場合は１０００円に１を加算することで、投入金種を管理するようになっている。尚、システムコントローラ１００との通信が不能状態（オフライン）である場合には、前記ＲＡＭ３３０に度数使用履歴を記憶する。尚、図２６のＳｂ２２において、カードユニット３から送信されてきた度数使用履歴を受信した場合にも、前述と同様に各テーブルの更新を実施する。
【０１７９】
また、これら発行貸出完了通知並びに使用度数、装置ＩＤを受信したシステムコントローラ１００では、カード管理ＤＢのカードユニット別データテーブルにおいて前記受信した装置ＩＤに該当する総使用度数並びにビジターカードの使用度数に、前記受信した使用度数を加算更新するようになっている。
【０１８０】
次いで、前記営業中における処理ではなく営業が終了した後の締め処理の流れについて図２３を用いて説明すると、まず、締め処理の起動は前記システムコントローラ１００にて実施され、該システムコントローラ１００からカードリーダライタ３２７に対して動作停止要求が送信されることにより、カードリーダライタ３２７は新たな会員カードの挿入等の受付けを禁止した後、システムコントローラ１００に対して動作停止状態に移行した旨の動作停止応答を返信するとともに、前記制御ユニット３２８へ動作停止指示を出力する。この動作停止指示の出力した後に、前記システムコントローラ１００へ動作停止状態に移行する旨の動作停止通知を送信した後、カードリーダライタ３２７は動作停止状態に移行する。
【０１８１】
また、前記カードリーダライタ３２７から動作停止指示の出力を受けた制御ユニット３２８は、前記営業開始時点からの加算を実施している補給球総数レジスタやアウト球総数レジスタや特賞回数レジスタのカウントを停止し、前記会員管理コンピュータ１２０からの送信待ち状態へ移行する。
【０１８２】
前記動作停止通知を受信したシステムコントローラ１００は、会員管理コンピュータ１２０に対し、会員カードやビジターカードの各処理が完了していることを示す営業終了通知を送信することで、会員管理コンピュータ１２０は営業終了を検知して各カードユニット３の制御ユニット３２８へ動作停止要求を送信する。
【０１８３】
該動作停止要求を受信した制御ユニット３２８は、前記にてカウントの停止を実施した補給球総数レジスタやアウト球総数レジスタや特賞回数レジスタの各記憶データを装置ＩＤとともに動作停止応答として返信した後、これらの各レジスタを含む全てのレジスタの記憶データをリセットしてクリアする。
【０１８４】
前記動作停止応答を受信した会員管理コンピュータ１２０は、該動作停止応答に含まれる前記補給球総数レジスタやアウト球総数レジスタや特賞回数レジスタの各記憶データから、該カードユニット３が対応するパチンコ機２の営業中における総支出（補給球総数−アウト球総数）とアウト球総数から単位時間における発射可能球数に基づき稼働時間とを算出して、前記台別履歴データベース（ＤＢ）の支出金額と稼働時間に登録し、該稼働時間を営業延べ時間（分）により除して稼働率を算出して登録する。
【０１８５】
これら台別履歴データベース（ＤＢ）への前記各データの登録に際して、会員管理コンピュータ１２０は、前記システムコントローラ１００に対し、図１３に示すように、各カードユニット３毎の会員売上や入金金額、ビジターによる使用金額等のデータを初めとする締めデータ要求を送信して締めデータを入手し、該締めデータの入手に基づき、前記台別履歴データベース（ＤＢ）の会員売上やビジター売上や総売上の項目のデータを登録するとともに、前記にて既に登録されている支出金額を総売上より差し引いて収支金額を算出登録して各営業日毎の台別履歴データベース（ＤＢ）を完成して確定する。
【０１８６】
つまり、本実施例においては、図２４に示すように、システムコントローラ１００には前記入金装置２１や精算装置２２並びにカードユニット３より各種カードに関する情報（使用度数、入金度数、精算金額）等の情報が収集管理されるとともに、会員管理コンピュータ１２０には、各カードユニット３より該カードユニット３が対応する遊技機の補給球総数並びにアウト球総数と総特賞回数とともに、会員カード３７の挿入中における会員補給球数（ＩＮ）や会員アウト球数（ＯＵＴ）と会員遊技者の大当り回数とが収集されるとともに、大当りやプレミアムリーチの発生状況並びにその発生とを把握できるようになっており、前記補給球数（ＩＮ）とアウト球数（ＯＵＴ）とから、各パチンコ機２における支出や各会員の遊技における支出を会員管理コンピュータ１２０が把握できるようになっており、これら支出金額を前記システムコントローラ１００から随時或いは締め時に入手する会員売上（消費）金額や総売上（消費）金額から差し引くことにより、各会員遊技者の収支や各パチンコ機２の収支を把握できるようになっている。
【０１８７】
ここで、本実施例におけるカードユニット３に設けられている前記多機能ランプ３０１、硬貨利用可ランプ３４８、紙幣利用可ランプ３４９、会員カード利用可ランプ３０５、カード発券中ランプ３１２の点灯制御の状況について、オフライン時の状況をまとめたものを図３０に、オンライン時の状況をまとめたものを図３１に示す。
【０１８８】
まず、図３０に示す、オフライン時の各種ランプの点灯状態について説明すると、度数が残存する会員カード３７の受付けにより、前記多機能ランプ３０１は、会員カード３７の受付け待ち状態の点灯態様である緑色の連続点灯状態から、会員カード３８の受付け中を示す青色の連続点灯に変更される。
【０１８９】
この際、該挿入された会員カード３７の所持者がイベント対象者である場合には、前述のように、多機能ランプ３０１の青色点灯が点滅点灯される。
【０１９０】
また、この会員カード３７の受付けに伴い、受付け待ちの状態において点灯されていた硬貨利用可ランプ３４８、紙幣利用可ランプ３４９が消灯され、会員カード利用可ランプ３０５は点灯状態を、カード発券中ランプ３１２は消灯状態をそれぞれ継続される。
【０１９１】
この残度数有りの状態において、オフライン状態が発生した場合には、前記多機能ランプ３０１の点灯態様が赤色の連続点灯に変更されて、前記システムコントローラ１００との通信状態がオフラインとなったことを報知する。この際、前記会員カード利用可ランプ３０５は点灯状態を保持されるとともに、その他のランプの点灯状態もオフライン状態となる以前のオンライン時の状態が保持される。
【０１９２】
この受付け中の会員カード３７の残度数が全て遊技に使用された場合には、入金上限値を１０００円とする前記オフライン入金が可能であり、このオフライン入金のための貨幣受付けがあった場合において、前記硬貨利用可ランプ３４８、紙幣利用可ランプ３４９が消灯されて、新たな硬貨並びに紙幣の受付けが不可であることを報知する。
【０１９３】
これらオフライン入金された場合には、会員カード３７に度数が残存する前記オフライン発生時の点灯状態に戻り、該オフライン入金された度数を全て使用した場合は、前記残度数「０」の点灯状態となる。
【０１９４】
これら残度数「０」或いは度数が存在する状況にてカード返却操作がなされた場合には、前記多機能ランプ３０１の点灯態様を赤色に保持したまま、会員カード３７の返却を報知するために、前記会員カード利用可ランプ３０５が受付中表示部３４５とともに点滅点灯された後、オフライン状態であることにより新たな会員カード３７の利用ができないことを報知するために、会員カード利用可ランプ３０５が消灯される。
【０１９５】
また、該会員カード利用可ランプ３０５の消灯とともに、ビジターカード３８による発行貸出処理が可能であることを報知するために、硬貨利用可ランプ３４８、紙幣利用可ランプ３４９が点灯される。
【０１９６】
この状態で、ビジターカード３８による発行貸出処理のために、貨幣の投入があった場合には、前記硬貨利用可ランプ３４８、紙幣利用可ランプ３４９が消灯されて、新たな硬貨並びに紙幣の受付けが不可であることを報知するとともに、入金された金額に相当するパチンコ球の貸出が実施される間、前記カード発券中ランプ３１２が点滅点灯されてビジターカード３８による発行貸出処理が処理中であることを報知する。
【０１９７】
該発行貸出処理が終了した場合、つまりビジターカード３８の残度数が「０」となった場合には、点滅点灯されていたカード発券中ランプ３１２が消灯されるとともに、消灯されていた前記硬貨利用可ランプ３４８並びに紙幣利用可ランプ３４９が再度点灯されて、ビジターカード３８による発行貸出処理のための貨幣受付けが可能であることを報知するようになっている。
【０１９８】
次いで、図３１に示す、オンライン時の各種ランプの点灯状態について説明すると、オンラインの通常時である会員カード３７の挿入待ち若しくはビジターカード３８による発行貸出処理のための貨幣投入待ち状態においては、前記多機能ランプ３０１は、オンライン状態を示す緑色の連続点灯状態とされるとともに、ビジターカード３８による発行貸出処理のための貨幣投入が可能であることを報知するために、前記硬貨利用可ランプ３４８並びに紙幣利用可ランプ３４９が点灯状態とされ、且つ会員カード３７の受付けが可能であることを報知するために、会員カード利用可ランプ３０５が点灯される。尚、カード発券中ランプ３１２は消灯状態とされる。
【０１９９】
ここで、度数が残存する会員カード３７を受付けた場合には、前記多機能ランプ３０１は、緑色の連続点灯状態から会員カード３８の受付け中を示す青色の連続点灯に変更されるとともに、残度数が存在す会員カード３７には入金ができないことを報知するために、前記硬貨利用可ランプ３４８並びに紙幣利用可ランプ３４９が消灯される。尚、挿入された会員カード３７の所持者がイベント対象者である場合には、前述のように、多機能ランプ３０１の青色点灯が点滅点灯される。
【０２００】
この受付け中の会員カード３７に残存する度数の全てが使用された場合には、該会員カード３７への追加入金処理が可能であることを報知するために、前記硬貨利用可ランプ３４８並びに紙幣利用可ランプ３４９が点灯状態に変更さ、該追加入金処理のために貨幣の投入があった場合には、新たな貨幣の投入が不可であることを報知するために、硬貨利用可ランプ３４８並びに紙幣利用可ランプ３４９が消灯される。
【０２０１】
これら追加入金処理によって、残度数が存在する会員カード３７となった場合には、前記の度数が残存する会員カード３７の受付け後の状態と同様に、硬貨利用可ランプ３４８並びに紙幣利用可ランプ３４９の消灯が継続されて、追加入金のための新たな貨幣の投入が不可であることを報知する。
【０２０２】
次いで、これら残度数が存在する会員カード３７或いは残度数「０」の会員カード３７の返却操作ががなされた場合には、前記多機能ランプ３０１の点灯態様を緑色の連続点灯状態に変更するとともに、会員カード３７の返却を報知するために、前記会員カード利用可ランプ３０５が受付中表示部３４５とともに点滅点灯された後、オンライン状態であることにより新たな会員カード３７の利用が可能であることを報知するために、会員カード利用可ランプ３０５が連続点灯状態とされた、前記会員カード３７の挿入待ち若しくはビジターカード３８による発行貸出処理のための貨幣投入待ち状態の点灯状態に戻る。
【０２０３】
この状態で、ビジターカード３８による発行貸出処理のために、貨幣の投入があった場合には、前記硬貨利用可ランプ３４８、紙幣利用可ランプ３４９が消灯されて、新たな硬貨並びに紙幣の受付けが不可であることを報知するとともに、会員カード利用可ランプ３０５が消灯されて新たな会員カード３７の挿入が不可であることを報知し、且つ前記カード発券中ランプ３１２が点灯される。
【０２０４】
次いで、該入金された金額に相当するパチンコ球の貸出が実施される間、前記カード発券中ランプ３１２が点滅点灯されてビジターカード３８による発行貸出処理が処理中であることが報知される。
【０２０５】
該発行貸出処理が終了した場合、つまりビジターカード３８の残度数が「０」となった場合には、点滅点灯されていたカード発券中ランプ３１２が消灯されるとともに、消灯されていた前記硬貨利用可ランプ３４８並びに紙幣利用可ランプ３４９が再度点灯されて、ビジターカード３８による発行貸出処理のための貨幣受付けが可能であることを報知する前記した会員カード３７の挿入待ち若しくはビジターカード３８による発行貸出処理のための貨幣投入待ち状態の点灯状態に戻るようになっている。
【０２０６】
以上説明したように、前記実施例の記録媒体処理装置であるカードユニット３を用いることで、エラーやオフラインの報知のみならず、挿入されているカードが会員カード３７であるか、或いはビジターカード３８であるかが前記多機能ランプにて報知され、係員が、挿入中のカードの種別を容易に確認できるとおともに、遊技者にあっては、現在のカードの受付け状況を把握できるようになるため、カードの利用を円滑に実施できるようになる。更には、カードユニット３の現在の状況を係員が的確に把握できるようになるため、カードが利用できない等の遊技者からのクレーム等に対しても、遊技者への適切な対応を実施できるようになる。
【０２０７】
前記実施例における各要素は、本発明に対して以下のように対応している。
本発明の請求項１は、貨幣の支払いに応じた価値であって、遊技に使用可能な遊技用価値（度数）の大きさを特定可能な情報（プリペイドＩＤ）が記録された所有者不特定記録媒体（ビジターカード３８）と、前記遊技用価値（度数）の大きさを特定可能な情報（プリペイドＩＤ）並びに所有者を特定するための所有者識別情報（会員ＩＤ）が記録された所有者特定記録媒体（会員カード３７）とを受付けて、該受付けた各記録媒体（ビジターカード３８、会員カード３７）の記録情報を少なくとも読み出す記録媒体処理手段（カードリーダライタ３２７）と、該記録媒体処理手段（カードリーダライタ３２７）にて前記各記録媒体（ビジターカード３８、会員カード３７）から読み出した前記情報から特定される遊技用価値（度数）の大きさを遊技に使用するための遊技使用処理を行う遊技使用処理手段（制御ユニット３２８、カードリーダライタ３２７）と、を備える記録媒体処理装置（カードユニット３）であって、前記所有者特定記録媒体（会員カード３７）の受付けを判断する所有者特定記録媒体受付判断手段（制御ユニット３２８）と、該所有者特定記録媒体受付判断手段（制御ユニット３２８）による所有者特定記録媒体（会員カード３７）の受付け判断に基づいて、該所有者特定記録媒体（会員カード３７）の受付けを報知するための所有者特定記録媒体受付報知手段（多機能ランプ３０１）と、前記所有者不特定記録媒体（ビジターカード３８）の受付けを判断する所有者不特定記録媒体受付判断手段（制御ユニット３２８）と、該所有者不特定記録媒体受付判断手段（制御ユニット３２８）による所有者不特定記録媒体（ビジターカード３８）の受付け判断に基づいて、該所有者不特定記録媒体（ビジターカード３８）の受付けを報知するための所有者不特定記録媒体受付報知手段（多機能ランプ３０１）と、前記各記録媒体（ビジターカード３８、会員カード３７）の管理を行う記録媒体管理装置（システムコントローラ１００）とのデータ通信を行うための通信手段（制御基板３２７ｂ）と、前記記録媒体管理装置（システムコントローラ１００）との通信状態が通信可能状態（オンライン状態）或いは通信不可能状態（オフライン状態）であるかの確認を行う通信状態確認手段（制御基板３２７ｂ）と、該通信状態確認手段（制御基板３２７ｂ）にて確認された通信状態を報知するための通信
状態報知手段（多機能ランプ３０１）と、該記録媒体処理装置（カードユニット３）を構成する内部機器において、予め設定されているエラー内容（カードエラー）に該当する障害が発生したか否かを判断するエラー発生判断手段（制御ユニット３２８）と、該エラー発生判断手段（制御ユニット３２８）におけるエラー発生の判断に基づいてエラー発生を報知するためのエラー発生報知手段（多機能ランプ３０１）と、を備える。
【０２０８】
本発明の請求項２は、前記各報知手段（多機能ランプ３０１）による報知を、各報知内容に該当する異なる表示態様を単一の表示部（多機能ランプ３０１）に表示することで報知するための多機能表示装置（ＬＥＤモジュール）を備える。
【０２０９】
本発明の請求項３は、前記単一の表示部（多機能ランプ３０１）を記録媒体処理装置（カードユニット３）の上部位置に備える。
【０２１０】
本発明の請求項４は、前記報知手段（多機能ランプ３０１）の少なくとも２つは、異なる色（赤、青、緑）の点灯表示にて報知を行う。
【０２１１】
本発明の請求項５は、前記所有者特定記録媒体受付判断手段（制御ユニット３２８）は、所有者特定記録媒体（会員カード３７）を使用した遊技使用処理が可能であるか否かを判断し、該遊技使用処理の可否判断に基づいて、遊技使用処理の可否を報知する所有者特定記録媒体使用可否報知手段（会員カード利用可ランプ３０５）を備える。
【０２１２】
本発明の請求項６は、前記遊技使用処理手段（制御ユニット３２８、カードリーダライタ３２７）は、前記記録媒体管理装置（システムコントローラ１００）とのデータ通信が通信不可能状態（オフライン状態）である場合において、前記所有者特定記録媒体（会員カード３７）を使用しての遊技使用処理を不能とする一方、所有者不特定記録媒体（ビジターカード３８）を使用しての遊技使用処理を実施可能とし、前記通信状態確認手段（制御基板３２７ｂ）は通信状態が通信不可能状態（オフライン状態）と確認した場合には、該通信不可能状態（オフライン状態）を示す情報を前記所有者特定記録媒体受付判断手段（制御ユニット３２８）に出力し、前記所有者特定記録媒体受付判断手段（制御ユニット３２８）は、該出力を受信したときに既に所有者特定記録媒体（会員カード３７）を受付中である場合には、該受付中の所有者特定記録媒体（会員カード３７）の受付が解除（返却）されるまでの間において、前記遊技使用処理可否報知手段（会員カード利用可ランプ３０５）による遊技使用処理不可報知（消灯）を行わない。
【０２１３】
本発明の請求項７は、前記所有者特定記録媒体（会員カード３７）に記録されている所有者識別情報（会員ＩＤ）に基づいて、該所有者が催事対象者（イベント対象者）に該当するか否かを判断するための催事対象者判断手段（会員管理コンピュータ１２０）と、該催事対象者判断手段（会員管理コンピュータ１２０）により該所有者が催事対象者（イベント対象者）に該当すると判断された場合に、該催事対象者（イベント対象者）である旨を報知するための催事対象者報知手段（多機能ランプ３０１）と、を備える。
【０２１４】
本発明の請求項８は、前記催事対象者報知手段（多機能ランプ３０１）による報知態様（青色の点滅点灯）が、前記所有者特定記録媒体受付報知手段（多機能ランプ３０１）による報知態様（青色連続点灯）に関連付けられている。
【０２１５】
本発明の請求項９は、貨幣の支払いに応じた価値であって、遊技に使用可能な遊技用価値（度数）の大きさを特定可能な情報（プリペイドＩＤ）が記録された所有者不特定記録媒体（ビジターカード３８）と、前記遊技用価値（度数）の大きさを特定可能な情報（プリペイドＩＤ）並びに所有者を特定するための所有者識別情報（会員ＩＤ）が記録された所有者特定記録媒体（会員カード３７）とを受付けて、該受付けた記録媒体（ビジターカード３８、会員カード３７）の記録情報を少なくとも読み出す記録媒体処理手段（カードリーダライタ３２７）と、該記録媒体処理手段（カードリーダライタ３２７）において前記所有者特定記録媒体（会員カード３７）が非受付状態である場合には前記所有者不特定記録媒体（ビジターカード３８）の前記情報（プリペイドＩＤ）から特定される遊技用価値（度数）の大きさを遊技に使用するための遊技使用処理（発行貸出処理）を行なうとともに、前記記録媒体処理手段（カードリーダライタ３２７）において前記所有者不特定記録媒体（ビジターカード３８）が非受付状態である場合には前記所有者特定記録媒体（会員カード３７）の前記情報（プリペイドＩＤ）から特定される遊技用価値（度数）の大きさを遊技に使用するための遊技使用処理（玉貸処理）を行なう遊技使用処理手段（制御ユニット３２８、カードリーダライタ３２７）と、を備える記録媒体処理装置（カードユニット３）であって、前記所有者特定記録媒体（会員カード３７）の受付けを判断する所有者特定記録媒体受付判断手段（制御ユニット３２８）と、該所有者特定記録媒体受付判断手段（制御ユニット３２８）による所有者特定記録媒体（会員カード３７）の受付け判断に基づいて、該所有者特定記録媒体（会員カード３７）の受付けを報知するための所有者特定記録媒体受付報知手段（多機能ランプ３０１）と、前記所有者不特定記録媒体（ビジターカード３８）の受付けを判断する所有者不特定記録媒体受付判断手段（制御ユニット３２８）と、該所有者不特定記録媒体受付判断手段（制御ユニット３２８）による所有者不特定記録媒体（ビジターカード３８）の受付け判断に基づいて、該所有者不特定記録媒体（ビジターカード３８）の受付けを報知するための所有者不特定記録媒体受付報知手段（多機能ランプ３０１）と、前記記録媒体（ビジターカード３８、会員カード３７）の管
理を行う記録媒体管理装置（システムコントローラ１００）とのデータ通信を行うための通信手段（制御基板３２７ｂ）と、前記記録媒体管理装置（システムコントローラ１００）との通信状態が通信可能状態（オンライン状態）或いは通信不可能状態（オフライン状態）であるかの確認を行う通信状態確認手段（制御基板３２７ｂ）と、該通信状態確認手段（制御基板３２７ｂ）にて確認された通信状態を報知するための通信状態報知手段（多機能ランプ３０１）と、該記録媒体処理装置（カードユニット３）を構成する内部機器において、予め設定されているエラー内容（カードエラー）に該当する障害が発生したか否かを判断するエラー発生判断手段（制御ユニット３２８）と、該エラー発生判断手段（制御ユニット３２８）におけるエラー発生の判断に基づいてエラー発生を報知するためのエラー発生報知手段（多機能ランプ３０１）と、前記所有者特定記録媒体（会員カード３７）に記録されている所有者識別情報（会員ＩＤ）に基づいて、該所有者が催事対象者（イベント対象者）に該当するか否かを判断するための催事対象者判断手段（会員管理コンピュータ１２０）と、該催事対象者判断手段（会員管理コンピュータ１２０）により該所有者が催事対象者（イベント対象者）に該当すると判断された場合に、該催事対象者（イベント対象者）である旨を報知するための催事対象者報知手段（多機能ランプ３０１）と、前記各報知手段による報知を、各報知内容に該当する異なる表示態様（表示色、点滅点灯）を単一の表示部（多機能ランプ３０１）に表示することにより報知する多機能表示装置（ＬＥＤモジュール）と、を備える。
【０２１６】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【０２１７】
例えば、前記実施例では、会員管理コンピュータ１２０が会員の貯蓄球数を管理し、前記カードユニット３にてプレイ選択ボタンを選択することで、貯蓄球数による遊技を実施できるようにしているが、本発明はこれに限定されるものではなく、これら貯蓄球数による遊技を実施できないものであっても良い。
【０２１８】
また、前記実施例においては、遊技用価値を特定可能な情報として会員カード３７に入金（プリペイド）ＩＤ及び度数を記録しているが、本発明はこれに限定されるものではなく、これら遊技用価値を特定可能な情報としては、前記した入金（プリペイド）ＩＤ及び度数のいずれか一方としても良い。また、これら入金（プリペイド）ＩＤを前記会員ＩＤや会員カードＩＤにて代用するようにして、該会員ＩＤや会員カードＩＤを、遊技用価値を特定可能な情報及び各カードに固有の識別情報の双方に用いるようにしても良い。
【０２１９】
また、前記実施例では記録媒体処理装置として、挿入された会員カード３７や内封されているビジターカード３８の度数を使用してカードリーダ式パチンコ機２にパチンコ玉の払出を実施させるカードユニット３を用いているが、本発明はこれに限定されるものではなく、少なくとも会員カード３７やビジターカード３８の度数を使用して対応する遊技機での遊技が実施可能とされていれば良く、例えば、これら記録媒体処理装置として、会員カード３７やビジターカード３８の度数を使用して、自らパチンコ玉の払出を実施するカード式玉貸ユニットやメダルの払出を実施するカード式メダル貸ユニット等としても良い。
【０２２０】
また、前記実施例のカードユニット３では、会員カード３７により特定される貯蓄玉数を再プレイに使用する際に、暗証番号の入力を受付けて本人確認を実施するようになっているが、本発明はこれに限定されるものではなく、特に暗証番号を受付けずに貯蓄玉数を再プレイに使用できるようにしても良いし、会員カード３７を受付けた際に暗証番号を受付けるようにしても良い。
【０２２１】
また、前記実施例のカードユニット３では、１０００円紙幣、２０００円紙幣、５０００円紙幣、１００００円紙幣、１００円硬貨、５００円硬貨を受付け、会員カード３７への追加入金処理が実施できるとともに、１０００円紙幣、１００円硬貨、５００円硬貨を受付け、ビジターカード３８の発行貸出処理が実施できるようになっているが、本発明はこれに限定されるものではなく、例えば、紙幣のみまたは硬貨のみを受付けてこれら追加入金処理や発行貸出処理ができるようになっていても良いし、１回の追加入金処理において複数の貨幣を受付けて追加入金できるようにしてもよいし、単一金種の硬貨または紙幣を受付けて追加入金処理や発行貸出処理ができるようになっていても良い。尚、本発明における記録媒体処理装置としては、これらビジターカード３８の発行機能が付与されていない構成のものも含まれる。
【０２２２】
また、前記実施例のカードユニット３では、会員カード３７が受付中でない場合において、貨幣が投入されるとビジターカード３８の発行貸出処理が実施され、投入された貨幣の金額分の度数がビジターカード３８に記録されるとともに、記録された度数が全て自動的に貸出処理に使用されるようになっているが、本発明はこれに限定されるものではなく、例えば、所定の度数分の貸出を自動で貸出を実施し、貸出ボタン１６の操作により所定度数分の貸出を実施するようにしても良いし、自動での貸出を実施せず、貸出ボタン１６の操作に基づいて貸出を実施するようにしても良い。
【０２２３】
また、前記実施例のカードユニット３では、会員カード３７を受付けた際に、該会員カード３７の度数等の各情報を前記ＲＡＭ３３０に記憶し、該記憶した情報を前記貸出処理や追加入金処理に基づき更新するとともに、前記カードリーダライタ３２７に受付中の会員カード３７に記録された度数等の情報についても更新するようになっているが、本発明はこれに限定されるものではなく、例えば、前記貸出処理や追加入金に基づき度数等の情報が更新された場合には、ＲＡＭ３３０に記憶された情報のみを更新し、返却操作がされた場合において、前記更新した情報を会員カード３７に記録されている情報に対して更新記録するようにしても良い。
【０２２４】
また、前記実施例の遊技用システムでは、会員カード３７により特定される遊技用価値としての度数が該会員カード３７とシステムコントローラ１００との双方に記録または登録され、どちらの情報からも度数を特定できるようになっているが、本発明はこれに限定されるものではなく、会員カード３７のみに度数を記録するようにしても良いし、システムコントローラ１００または前記管理サーバ１２にのみ度数を登録し、前記会員カード３７の会員ＩＤ或いは会員カードＩＤ等の遊技者特定情報を読み出すことにより、前記登録されている度数を特定するようにしても良い。
【０２２５】
また、前記実施例では、会員カード３７により特定される遊技用価値としての度数が追加入金処理毎に付与される入金ＩＤに対応付けて度数を登録し、管理されるようになっているが、本発明はこれに限定されるものではなく、例えば、これら遊技用価値としての度数が、会員カード３７の会員ＩＤに対応付けてシステムコントローラ１００に登録され、管理されるようになっていても良い。
【０２２６】
また、前記実施例では、記録媒体（会員カード３７、ビジターカード３８）として非接触型のＩＣカードを用いているが、本発明はこれに限定されるものではなく、これを磁気カードや接触型のＩＣカードとしても良いし、更には識別符号を用いて記録情報を特定できる場合等には、遊技用記録媒体を特定可能な識別情報を少なくとも読み取り可能に記録できるものであれば良く、例えばバーコード等の所定の情報記録シンボル等が読み取り可能にプリントされた記録媒体等であっても良い。
【０２２７】
また、前記実施例に用いた記録媒体（会員カード３７、ビジターカード３８）の形状はカード状とされているが、本発明はこれに限定されるものではなく、例えば円盤形状や球状、チップ状等その他の形状とされていても良い。
【０２２８】
また、前記実施例に用いた会員カード３７は、所定の遊技場内においてのみ使用可能とされているが、本発明はこれに限定されるものではなく、複数の遊技場において使用可能とされた共通会員カードとして使用するようにしても良い。
【０２２９】
また前記実施例では、遊技機であるパチンコ機２において使用される遊技用価値の形態として度数や該度数に相当する金額を用いているが、本発明はこれに限定されるものではなく、これら遊技用価値を所定のポイントや相当するパチンコ玉数やコイン数としても良く、その形態は任意に選択すれば良い。
【０２３０】
また前記実施例では、遊技機であるパチンコ機２に使用される遊技媒体としてパチンコ玉を用いているが、これら遊技媒体をコインや点数、更には後述する画像式のパチンコ機やスロットマシン等における画像にて形成されたパチンコ玉やコイン等としても良く、これら遊技媒体は遊技において使用される媒体であれば、本発明の遊技媒体に含まれるものであり、その形態が限定されるものではない。
【０２３１】
また前記実施例においては、遊技機として、カードユニット３に挿入されるカードから特定される度数を使用して自らパチンコ玉の払出を実施するカードリーダ式パチンコ機２を用いているが、本発明はこれらカードリーダ式パチンコ機２のみならず、前述のカード式玉貸ユニット等からパチンコ玉の供給を受けて遊技を実施可能なパチンコ機や、コインを用いて遊技を行うスロットマシンやパチンコ玉を用いて遊技を行うパチロット遊技機や、パチンコ玉やコインが外部に排出されることなく遊技可能な封入式のパチンコ機や完全クレジット式のスロットマシン、さらにはこれら遊技媒体を用いずにデータ等により遊技可能な遊技機や、遊技盤やパチンコ玉が画像にて表示される画像式のパチンコ機や、リールが画像にて表示される画像式のスロットマシンやパチロットにも適用可能であることはいうまでもなく、これら遊技機が限定されるものではない。
【０２３２】
また前記実施例においては、貯蓄玉数を使用する場合の暗証番号の照合を、カードユニット３への会員カード３７の挿入時において前記会員管理コンピュータ１２０から予め送信されてきて、前記暗証番号レジスタに登録している暗証番号と入力された暗証番号とをカードユニット３が比較照合することで、迅速な照合をできるようにしているが、本発明はこれに限定されるものではなく、これら入力された暗証番号をカードユニット３が前記会員管理コンピュータ１２０へ送信して該会員管理コンピュータ１２０が照合を実施するようにしても良い。
【０２３３】
また、前記実施例では、会員カード３７の所持者がイベント対象者であるかの判定を前記会員管理コンピュータ１２０にて実施しているが、本発明はこれに限定されるものではなく、例えばイベント対象者の条件をカードユニット３の起動時に各カードユニット３に配信しておき、会員カード３７に記録されている会員の帰属情報に基づいて、各カードユニット３がイベント対象者であるかの判定を実施するようにしても良い。
【０２３４】
また、前記実施例では、所有者特定記録媒体使用可否報知手段として前記会員カード利用可ランプ３０５を用い、該会員カード利用可ランプ３０５の点灯により新たな会員カードの受付け可／不可を報知するようにしているが、本発明はこれに限定されるものではなく、これら新たな会員カードの受付け可／不可の報知を、前記多機能ランプ３０１の１表示形態にて報知したり、前記会員カード用表示部３１４への表示等により報知するようにしても良い。また、これら所有者特定記録媒体使用可否報知手段を適宜に省いた構成としても良い。
【０２３５】
また、前記実施例では、ビジターカード３８を封入した形態をとっているが、本発明はこれに限定されるものではなく、これらビジターカード３８として、従来より使用されているプリペイドカードを挿入して利用できるようにしても良く、更に、これらリペイドカードを前記会員カード挿入口３１９に挿入して利用できるようにして、カードの挿入口が１つの構成とされたものとしても良い。
【０２３６】
また前記実施例においては、記録媒体管理装置であるシステムコントローラ１００において、カードユニット３における使用否判定を実施するようにしているが、本発明はこれに限定されるものではなく、遊技用記録媒体の識別情報であるカードＩＤに対応付けてシステムコントローラ１００に登録されている遊技用価値としての度数の大きさの情報を該システムコントローラ１００にから入手して、カードユニット３が前記使用否判定を実施するようにしても良い。
【０２３７】
また前記実施例の各カードユニット３では実施していないが、直前に返却した会員カード３７のカードＩＤや残度数等のカード情報を記憶しておき、該直前に返却した会員カード３７が再度挿入された場合には、前記カード情報に基づいてそのカードユニット３にて使用可否判定を実施して、前記貸出処理や追加入金を実施できるようにしても良く、このようにすることで、例えばオンライン時に使用していた会員カード３７が特賞発生による持ち玉遊技のために返却され、オフライン状態時にこれらの特賞による持ち玉が無くなったために、再度該会員カード３７を挿入して使用する場合において、カードユニット３にて使用可否判定を実施できるために、オフライン状態であってもこれら直前に返却した会員カード３７の度数使用や追加入金が可能となるので、遊技者の利便性を向上できるようになる。
【０２３８】
また前記実施例では、オフライン入金において返却フラグをセットして、該オフライン入金における入金（加算）度数の全てが遊技に使用されて返却フラグがクリアされないと、該会員カード３７を返却しないようにしているが、本発明はこれに限定されるものではなく、オフライン入金における入金（加算）度数の全てを該オフライン入金とともに一度の使用処理にて使用するようにしても良い。
【０２３９】
また、前記実施例においては、会員カード３７の挿入は受付けるが、該挿入された会員カード３７の記録情報の読み出しは行わずに返却することで、新たな会員カード３７の受付けを禁止するようにしているが、本発明はこれに限定されるものではなく、これら会員カード３７自体の挿入自体を受付けない構成としても良い。
【０２４０】
また、本発明における前記所有者不特定記録媒体の非受付状態とは、該所有者不特定記録媒体であるビジターカード３８が、発行中ではない状態とともに、前記カードユニット３内部に装填されていない状態の双方を示すものである。
【０２４１】
【発明の効果】
本発明は次の効果を奏する。
（ａ）請求項１の発明によれば、前記記録媒体処理手段にて受付中の記録媒体が、所有者特定記録媒体であるかが報知されるようになるため、従来の通信不能状態やエラー報知に加えて、所有者特定記録媒体が受付中である旨を係員等が容易に確認することができる。
【０２４２】
（ｂ）請求項２の発明によれば、表示部を単一とすることで、該単一とされた表示部を注視することで、報知内容を確認できる。
【０２４３】
（ｃ）請求項３の発明によれば、前記単一の表示部を見やすくできる。
【０２４４】
（ｄ）請求項４の発明によれば、色の違いで報知内容を識別できるので、報知内容を把握し易くなる。
【０２４５】
（ｅ）請求項５の発明によれば、所有者特定記録媒体の所有者は、所有する所有者特定記録媒体が利用できるか否かを確認でき、所有者特定記録媒体を無理矢理に挿入すること等による装置や所有者特定記録媒体の破損等のトラブルを極力防止することができる。
【０２４７】
（ｆ）請求項６の発明によれば、所有者特定記録媒体の所有者である遊技者が、催事対象者であることを遊技者自身および／または係員が容易に確認することができる。
【０２４８】
（ｇ）請求項７の発明によれば、催事対象者は前記所有者特定記録媒体の所持者のみが対象となるため、これら催事対象者である旨の内容を、遊技者自身および／または係員が感覚的に知覚できるようになる。
【図面の簡単な説明】
【図１】本発明の実施例における遊技用システムの構成を示す図である。
【図２】（ａ）は、本発明の実施例に用いた会員カードを示す正面図であり、（ｂ）は、ビジターカードを示す正面図である。
【図３】本発明の実施例において用いたパチンコ機並びにカードユニットの正面図である。
【図４】本発明の実施例におけるパチンコ機の操作部を示す平面図である。
【図５】本発明の実施例におけるカードユニットの前面構造を示す斜視図である。
【図６】（ａ）は、本発明の実施例におけるカードユニットの一部破断側面図並びに背面図である。
【図７】本発明の実施例におけるカードユニット並びにパチンコ機の構成を示すブロック図である。
【図８】本発明の実施例におけるシステムコントローラの構成を示すブロック図である。
【図９】（ａ）（ｂ）（ｃ）は、本発明の実施例に用いたシステムコントローラにおけるカード管理ＤＢを構成する会員属性情報テーブル、会員カードマスターテーブル、カードユニット別データテーブルの登録状況を示す図である。
【図１０】本発明の実施例に用いたシステムコントローラにおける会員遊技履歴テーブルを示す図である。
【図１１】本発明の実施例におけるシステムコントローラにおける各種機能の説明図である。
【図１２】本発明の実施例におけるシステムコントローラにおける各種機能の選択において表示される機能選択画面を示す図である。
【図１３】本発明の実施例におけるシステムコントローラにおける出力例である各カードユニット毎の個別売上画面である。
【図１４】本発明の実施例における会員管理コンピュータとシステムコントローラと管理サーバとの連携の状況を示す説明図である。
【図１５】本発明の実施例における会員管理コンピュータの構成を示すブロック図である。
【図１６】（ａ）、（ｂ）は、本発明の実施例に用いた会員管理コンピュータにおける会員管理ＤＢを構成する会員情報テーブル、イベントテーブルの登録状況を示す図である。
【図１７】（ｃ）は、本発明の実施例に用いた会員管理コンピュータにおける来店履歴データベースを、（ｄ）は、本発明の実施例に用いた会員管理コンピュータにおける台別履歴データベースの構成を示す図である。
【図１８】本発明の実施例に用いた遊技用システムを構成する各機器の処理状況（会員カード受付け時）を示す図である。
【図１９】本発明の実施例におけるパチンコ機の賞球制御基板とカードユニットから出力される各信号の出力状況を示す図である。
【図２０】本発明の実施例に用いた遊技用システムを構成する各機器の処理状況（会員カード受付け時以外）を示す図である。
【図２１】カードユニットの電源投入時（営業前処理）における会員管理コンピュータとの接続確立の処理状況の説明図である。
【図２２】カード挿入とカード排出におけるカードリーダライタと制御ユニット並びに会員管理コンピュータとの情報の授受状況を示す図である。
【図２３】本発明の実施例に用いた遊技用システムにおける締め処理の流れの説明図である。
【図２４】本発明の実施例に用いた遊技用システムにおける各種情報の流れを説明する図である。
【図２５】本発明の実施例に用いた制御基板が実施するオフライン検出処理の処理内容を示すフロー図である。
【図２６】本発明の実施例に用いた制御ユニットが実施する割り込み処理の処理内容を示すフロー図である。
【図２７】本発明の実施例に用いた制御ユニットが実施する割り込み処理の処理内容を示すフロー図である。
【図２８】本発明の実施例に用いた制御ユニットが実施するオフライン入金処理の処理内容を示すフロー図である。
【図２９】本発明の実施例において用いた多機能ランプの点灯状態と報知条件とを示す図である。
【図３０】本発明の実施例に用いたカードユニットのオフライン時における各種ランプの点灯状態の変化を示す図である。
【図３１】本発明の実施例に用いたカードユニットのオンライン時における各種ランプの点灯状態の変化を示す図である。
【符号の説明】
２        カードリーダ式パチンコ機
３        カードユニット
４        呼出ランプ
６        中継器
７        ハブ
８        通信ケーブル
９        信号ケーブル
１０      通信ケーブル
１１      通信回線網
１４      操作部
１５      返却ボタン
１６      貸出ボタン
１７      度数表示部
１８      操作基板
２０      カードユニットストッカ
２１      入金装置
２２      精算装置
２３      分流樋
２４      補給球計数器
２５      アウト球タンク
２６      アウト球計数器
３１      ユニットホルダ
３１’    スライドレール
３７      会員カード
３８      ビジターカード
８３      アンテナコイル
８４      集積回路
８５      バーコード
９１      アンテナコイル
９２      集積回路（ＩＣ）
１００    システムコントローラ
１０１    データバス
１０２    ＣＰＵ
１０３    ＲＡＭ
１０４    ＲＴＣ
１０５    記憶装置
１０６    入力装置
１０７    表示装置
１０８    プリンタ
１０９    第１通信部
１１０    第２通信部
１１１    デジタルサービスユニット（ＤＳＵ）
１２０    会員管理コンピュータ
１２１    データバス
１２２    ＣＰＵ
１２３    ＲＡＭ
１２４    ＲＴＣ
１２５    記憶装置
１２６    入力装置
１２７    表示装置
１２８    プリンタ
１２９    第１通信部
１３０    第２通信部
１３１    バーコードリーダ
２０２    ガラス扉枠
２０３    打球供給皿
２０４    余剰玉受皿
２０５    打球操作ハンドル（操作ノブ）
２０６    遊技盤
２０７    遊技領域
２０９    可変表示部
２１０    可変表示装置
２１１    通過ゲート
２１４    始動入賞口
２１５    可動片
２１６    可変入賞球装置
２２０    開閉板
２２４    入賞口
２２６    アウト口
２９８    情報出力部
２３１    遊技制御基板
２３５    ランプ制御基板
２３７    賞球制御基板
２７０    音声制御基板
２８０    表示制御基板
２９１    発射制御基板
２９７    玉払出装置
３００    貨幣利用可ランプ
３０１    多機能ランプ
３０２    紙幣挿入口
３０３    硬貨投入口
３０４    硬貨返却ボタン
３０５    会員カード利用可ランプ
３０６    貸出単位変更ボタン
３０７    貸出単位表示部
３０８    端数ボタン
３０９    度数表示部
３１０    機種設定ランプ
３１１    方向指示ランプ
３１２    カード発券中ランプ
３１３    硬貨返却口
３１３’  受部
３１４    会員カード用表示部
３１５    テンキー
３１６    プレイ選択ボタン
３１７    エンターキー
３１８    ビジターカード装着口
３１８’  透明カバー部材
３１９    会員カード挿入口
３２０    第１操作基板
３２１    第２操作基板
３２２    紙幣識別ユニット
３２２’  紙幣識別ユニット
３２３    硬貨投入路
３２４    硬貨識別ユニット
３２５    硬貨返却路
３２６    硬貨回収路
３２７    カードリーダライタ
３２７ａ  通信基板
３２７ｂ  制御基板
３２８    制御ユニット
３２９    ＭＰＵ
３３０    ＲＡＭ
３３１    ＲＯＭ
３３２ａ  Ｉ／Ｏポート
３３２ｂ  Ｉ／Ｏポート
３３２ｃ  Ｉ／Ｏポート
３３２ｄ  Ｉ／Ｏポート
３３４    通信部
３３６    データ入出力部
３４０    段部
３４１    係止突起
３４２    係止孔
３４３    係止爪
３４４    係止孔
３４５    受付中表示部
３４６    ＬＥＤモジュール
３４８    硬貨利用可ランプ
３４９    紙幣利用可ランプ
３５０    紙幣搬送路
３５１    コイン搬送路
３５２    紙幣回収路
３５３    硬貨回収樋
５０１    タイトル域
５０２    表示領域
５０３    サブメニュー表示域
５０４    メニュータブ
５０５    機能ボタン域
【図１】
0003744879.tif 000002
【図２】
0003744879.tif 000003
【図３】
0003744879.tif 000004
【図４】
0003744879.tif 000005
【図５】
0003744879.tif 000006
【図６】
0003744879.tif 000007
【図７】
0003744879.tif 000008
【図８】
0003744879.tif 000009
【図９】
0003744879.tif 000010
【図１０】
0003744879.tif 000011
【図１１】
0003744879.tif 000012
【図１２】
0003744879.tif 000013
【図１３】
0003744879.tif 000014
【図１４】
0003744879.tif 000015
【図１５】
0003744879.tif 000016
【図１６】
0003744879.tif 000017
【図１７】
0003744879.tif 000018
【図１８】
0003744879.tif 000019
【図１９】
0003744879.tif 000020
【図２０】
0003744879.tif 000021
【図２１】
0003744879.tif 000022
【図２２】
0003744879.tif 000023
【図２３】
0003744879.tif 000024
【図２４】
0003744879.tif 000025
【図２５】
0003744879.tif 000026
【図２６】
0003744879.tif 000027
【図２７】
0003744879.tif 000028
【図２８】
0003744879.tif 000029
【図２９】
0003744879.tif 000030
【図３０】
0003744879.tif 000031
【図３１】
0003744879.tif 000032